(57)【要約】  ワイヤレス通信における多地点協調（ＣｏＭＰ）送信のための多地点等化（ＭＰＥ）フレームワークを可能にすることについて本明細書で説明する。開示するＭＰＥフレームワークは、ＣｏＭＰ送信のための分散スケジューリング決定に関与し、複数のネットワーク基地局のためのスケジューリング決定を協調させる集中型スケジューリング技法と比較してスケジューリング協調の複雑さを低減する。さらに、ＭＰＥフレームワークは、計算のための情報を取得し、送信係数を配布するために最高２つのバックホールホップに依拠して、ＣｏＭＰ送信係数の分散計算に関与する。開示するＭＰＥフレームワークは、従来のＣｏＭＰ技法に勝る、様々なネットワーク展開における実質的な利得を示す。
2013502857.tif 000002
【特許請求の範囲】
【請求項１】
ワイヤレス通信のための方法であって、
ワイヤレスネットワークのノードによってサービスされるユーザ機器（ＵＥ）のセットからチャネル状態情報（ＣＳＩ）の第１のセットを受信することと、
ＣＳＩの前記セットに基づいてＵＥの前記セットのうちのＵＥのための多地点協調（ＣｏＭＰ）送信をスケジュールすることと、
前記ノードにおいて、前記ワイヤレスネットワークのそれぞれのノード、即ちノードの送信セット、によって送信されるべき前記ＣｏＭＰ送信の複数の信号のための送信係数を計算することと
を備える、方法。
【請求項２】
前記ＣｏＭＰ送信をスケジュールすることが、もっぱら前記ノードを備えるセル内で測定されたデータを採用することをさらに備える、請求項１に記載の方法。
【請求項３】
前記ＣＳＩが、前記ＵＥと、前記ＵＥの報告セット内にある前記ワイヤレスネットワークのノードとの間のチャネル状態を反映する、請求項１に記載の方法。
【請求項４】
前記報告セットが、前記ＵＥによって観測された最小信号強度しきい値を上回るそれぞれの信号強度を有するノードを備え、さらに、前記報告セット内のノードの数が、所定の最大数に上限を定められる、請求項３に記載の方法。
【請求項５】
前記ノードによって制御されるバックホール報告セットからＣＳＩの第２のセットを受信することをさらに備える、請求項１に記載の方法。
【請求項６】
前記バックホール報告セットが、前記ＣｏＭＰ送信の前記複数の信号からの干渉によって影響を及ぼされるそれぞれの近隣ＵＥをサービスする前記ワイヤレスネットワークのノードを備え、ノードの前記送信セットを含む、請求項５に記載の方法。
【請求項７】
前記別々の信号が、前記ＵＥに到着するように構成されたデータ送信と、前記近隣ＵＥの１つまたは複数への干渉を緩和するように構成されたデータ送信とを備える、請求項６に記載の方法。
【請求項８】
前記バックホール報告セットの中からノードの前記送信セットを選択するために、ＣＳＩの前記第２のセットまたはＣＳＩの前記セットを採用することと、随意に、所定の最大数にノードの前記送信セットの上限を定めることとをさらに備える、請求項５に記載の方法。
【請求項９】
送信係数を計算することが、
前記ＣｏＭＰ送信のための干渉緩和を達成するために、前記ＵＥの報告セット内のノードのための前記送信係数の計算を実行することと、または
前記報告セット外の前記ワイヤレスネットワークのノードに起因する、前記ＵＥへの残留干渉を判断することと、前記残留干渉に少なくとも部分的に基づいて前記送信係数を計算することと
のうちの少なくとも１つをさらに備える、請求項５に記載の方法。
【請求項１０】
前記送信係数を計算することが、
ノードの前記送信セットのためのチャネル利得を予測するためにＣＳＩの前記セットを採用することと、
予測されたチャネル利得と、前記ＵＥに関与する以前のＭＰ送信から報告された実際のチャネル利得との比を判断することと、
予測されたチャネル利得と実際のチャネル利得との前記比から利得オフセットを導出することと、
少なくとも部分的に、前記ＵＥのための前記ＣｏＭＰをスケジュールするための、または帯域幅もしくはデータレートを含むリンク適応のためのチャネル品質を予測するために前記利得オフセットを採用することと
をさらに備える、請求項５に記載の方法。
【請求項１１】
前記ＣｏＭＰ送信に備えて、前記それぞれのノードへの前記ＣｏＭＰ送信のための前記複数の信号およびデータパケットのためのそれぞれの送信係数を送信することと、
前記ＣｏＭＰ送信を実装することの一部として、関連する信号係数に従って前記複数の信号のうちの１つを送信することと
をさらに備える、請求項１に記載の方法。
【請求項１２】
多地点協調（ＣｏＭＰ）ワイヤレス通信のための分散スケジューリングと分散信号計算とを行うように構成された命令を記憶するためのメモリと、
前記命令を実装するモジュールを実行するためのデータプロセッサと
を備える、ワイヤレス通信のための装置であって、前記モジュールが、
ユーザ機器（ＵＥ）と基地局の報告セット内の基地局との間のワイヤレスチャネルに関係する、前記装置によってサービスされる前記ＵＥからのチャネル状態情報（ＣＳＩ）の第１のセットを取得し、基地局のバックホール報告セットのそれぞれの基地局と、前記ＵＥへのＣｏＭＰ送信によって影響を及ぼされることが予想されるＵＥのセットとの間のワイヤレスチャネルに関係する前記バックホール報告セットからのＣＳＩの第２のセットを取得する受信モジュールと、
前記装置によって計算された前記ＣｏＭＰ送信のそれぞれの送信パラメータを前記ＣｏＭＰ送信に参加している基地局の送信セットに転送する配信モジュールと
を備える、装置。
【請求項１３】
前記装置とは別個の基地局のスケジューリング決定とは無関係に、およびＣＳＩの前記第２のセットを受信するより前に、前記ＵＥのための前記ＣｏＭＰ送信をスケジュールするＵＥ選択モジュールをさらに備える、請求項１２に記載の装置。
【請求項１４】
前記ＵＥ選択モジュールが、前記ＵＥをスケジュールするためのＣＳＩの前記第１のセットから導出されたチャネル状態を採用する、請求項１３に記載の装置。
【請求項１５】
少なくとも部分的にＣＳＩの前記第１のセットまたはＣＳＩの前記第２のセットから前記それぞれの送信パラメータを判断する処理モジュールをさらに備える、請求項１２に記載の装置。
【請求項１６】
前記処理モジュールが、前記ＵＥと前記報告セットの基地局との間の前記ワイヤレスチャネルについてのチャネル利得を推定し、随意に、推定されたチャネル利得と前記ＵＥによって前に報告された実際のチャネル利得との比を導出し、前記推定されたチャネル利得または前記比に少なくとも部分的に基づいて前記それぞれの送信パラメータを判断する、請求項１５に記載の装置。
【請求項１７】
前記処理モジュールが、前記装置と前記報告セット内の基地局とについての干渉緩和分析を実行し、前記干渉緩和分析に少なくとも部分的に基づいて前記それぞれの送信パラメータを判断する、請求項１５に記載の装置。
【請求項１８】
前記処理モジュールが、前記報告セット外の基地局に起因する、前記ＵＥへの残留干渉を推定するためにＣＳＩの前記第１のセットを採用し、前記残留干渉に少なくとも部分的に基づいて前記それぞれの送信パラメータを判断する、請求項１５に記載の装置。
【請求項１９】
基地局の前記バックホール報告セットから基地局の前記送信セットを選択するＣｏＭＰ選択モジュールをさらに備える、請求項１２に記載の装置。
【請求項２０】
前記ＣｏＭＰ選択モジュールは、基地局の前記報告セット内になく、しきい干渉レベルを下回る干渉を観測することが予測されるＵＥをサービスする、前記バックホール報告セットの基地局を、前記送信セットから除外するために、ＣＳＩの前記第２のセットを採用する、請求項１９に記載の装置。
【請求項２１】
前記ＣｏＭＰが、基地局の前記送信セットを送信基地局の最大数に制限する、請求項２０に記載の装置。
【請求項２２】
前記バックホール報告セットが、
ＵＥに向けられる前記ＣｏＭＰ送信のデータ送信からの干渉を観測すること、または
前記データ送信から、もしくは別の緩和送信からのＵＥの前記セットのうちの１つへの干渉を低減するように構成された、前記ＣｏＭＰ送信の緩和送信からの干渉を観測すること
のうちの少なくとも１つを行う前記ＵＥをサービスする、前記装置を囲む半静的な数の基地局を備える、請求項１２に記載の装置。
【請求項２３】
ワイヤレスネットワークのノードによってサービスされるユーザ機器（ＵＥ）のセットからチャネル状態情報（ＣＳＩ）の第１のセットを受信するための手段と、
ＣＳＩの前記セットに基づいてＵＥの前記セットのうちのＵＥのための多地点協調（ＣｏＭＰ）送信をスケジュールするための手段と、
前記ノードにおいて、前記ワイヤレスネットワークのそれぞれのノードによって送信されるべき前記ＣｏＭＰ送信の複数の信号のための送信係数を計算するための手段と
を備える、ワイヤレス通信のための装置。
【請求項２４】
ワイヤレス通信のために構成された少なくとも１つのプロセッサであって、
ワイヤレスネットワークのノードによってサービスされるユーザ機器（ＵＥ）のセットからチャネル状態情報（ＣＳＩ）の第１のセットを受信する第１のモジュールと、
ＣＳＩの前記セットに基づいてＵＥの前記セットのうちのＵＥのための多地点協調（ＣｏＭＰ）送信をスケジュールする第２のモジュールと、
前記ノードにおいて、前記ワイヤレスネットワークのそれぞれのノードによって送信されるべき前記ＣｏＭＰ送信の複数の信号のための送信係数を計算する第３のモジュールと
を備える、プロセッサ。
【請求項２５】
コンピュータに、ワイヤレスネットワークのノードによってサービスされるユーザ機器（ＵＥ）のセットからチャネル状態情報（ＣＳＩ）の第１のセットを受信させるための第１のコードセットと、
前記コンピュータに、ＣＳＩの前記セットに基づいてＵＥの前記セットのうちのＵＥのための多地点協調（ＣｏＭＰ）送信をスケジュールさせるための第２のコードセットと、
前記コンピュータに、前記ノードにおいて、前記ワイヤレスネットワークのそれぞれのノードによって送信されるべき前記ＣｏＭＰ送信の複数の信号のための送信係数を計算させるための第３のコードセットと
を備える、コンピュータ可読媒体
を備える、コンピュータプログラム製品。
【請求項２６】
ワイヤレスネットワークのノードによってサービスされるＵＥのセットのためのチャネル状態情報（ＣＳＩ）を取得することと、
前記ＣＳＩのメトリックを前記ワイヤレスネットワークの第２のノードにサブミットすることであって、前記ノードと前記第２のノードとが、多地点協調（ＣｏＭＰ）ワイヤレス通信に関係する基地局の少なくとも１つの半静的バックホール報告セット内に含まれる、サブミットすることと、
前記ＣｏＭＰワイヤレス通信の１つの信号についてのデータと送信係数とを受信することであって、前記送信係数が前記第２のノードによって計算される、受信することと
を備える、ワイヤレス通信の方法。
【請求項２７】
前記ＣｏＭＰワイヤレス通信のセグメントを実装するために、前記送信係数に従って前記１つの信号内で前記データを送信することをさらに備える、請求項２６に記載の方法。
【請求項２８】
前記１つの信号が、前記第２のノードによってサービスされるＵＥに前記データを搬送する複数のダウンリンク送信のうちの１つを備えるように構成された、請求項２６に記載の方法。
【請求項２９】
前記１つの信号が、前記ＣｏＭＰワイヤレス通信に起因する、ＵＥの前記セットのうちの１つへの干渉を緩和するように構成された、請求項２６に記載の方法。
【請求項３０】
前記１つの信号が、前記ＣｏＭＰワイヤレス通信に起因する、前記ワイヤレスネットワークの第３のノードによってサービスされるＵＥへの干渉を緩和するように構成された、請求項２６に記載の方法。
【請求項３１】
前記ノードと前記第２のノードとを結合するバックホールリンクを介して前記ＣＳＩの前記メトリックを前記第２のノードに送信することをさらに備える、請求項２６に記載の方法。
【請求項３２】
少なくとも部分的にＵＥの前記セットのうちの１つによって、または前記第２のノードが別のＵＥに関する報告セット中にある前記別のＵＥによって、無線で前記ＣＳＩの前記メトリックを前記第２のノードに送信することをさらに備える、請求項２６に記載の方法。
【請求項３３】
前記バックホール報告セットの他の基地局のスケジューリング決定とは無関係に、第２のＣｏＭＰワイヤレス通信のためのＵＥの前記セットのうちの１つを選択することをさらに備える、請求項２６に記載の方法。
【請求項３４】
少なくとも１つの第２の半静的バックホール報告セットが前記ノードに関連する、請求項３３に記載の方法。
【請求項３５】
多地点協調（ＣｏＭＰ）ワイヤレス通信のための分散スケジューリングとバックホール報告とを行うように構成された命令を記憶するためのメモリと、
前記命令を実装するモジュールを実行するためのデータプロセッサと
を備える、ワイヤレス通信のための装置であって、前記モジュールが、
ワイヤレスネットワークのノードによってサービスされるＵＥのセットのためのチャネル状態情報（ＣＳＩ）を取得するアップリンクモジュールと、
前記ＣＳＩのメトリックを前記ワイヤレスネットワークの第２のノードにサブミットする配信モジュールであって、前記ノードと前記第２のノードとが、前記ＣｏＭＰワイヤレス通信に関係する基地局の少なくとも１つの半静的バックホール報告セット内に含まれる、配信モジュールと、
前記ＣｏＭＰワイヤレス通信の１つの信号についてのデータと送信係数とを取得する受信モジュールであって、前記送信係数が前記第２のノードによって計算される、受信モジュールと
を備える、装置。
【請求項３６】
前記ＣｏＭＰワイヤレス通信に参加するために、前記送信係数に従って前記１つの信号内で前記データを送るために採用されたワイヤレス送信機をさらに備える、請求項３５に記載の装置。
【請求項３７】
前記１つの信号が、前記第２のノードによってサービスされるＵＥに前記データを搬送する複数のダウンリンク送信のうちの１つを備えるように構成された、請求項３５に記載の装置。
【請求項３８】
前記１つの信号が、前記ＣｏＭＰワイヤレス通信に起因する、ＵＥの前記セットのうちの１つへの干渉を緩和するように構成された、請求項３５に記載の装置。
【請求項３９】
前記１つの信号が、前記ＣｏＭＰワイヤレス通信に起因する、前記ワイヤレスネットワークの第３のノードによってサービスされるＵＥへの干渉を緩和するように構成された、請求項３５に記載の装置。
【請求項４０】
前記配信モジュールが、前記ＣＳＩの前記メトリックを前記第２のノードに送信するための前記ノードと前記第２のノードとを結合するバックホールリンクを採用するバックホールインターフェースを備える、請求項３５に記載の装置。
【請求項４１】
前記配信モジュールが、前記ＣＳＩの前記メトリックを無線で前記第２のノードに送るために、前記装置のワイヤレス送信機を採用する、請求項３５に記載の装置。
【請求項４２】
前記バックホール報告セットの他の基地局のスケジューリング決定とは無関係に、第２のＣｏＭＰワイヤレス通信についてＵＥの前記セットのうちの１つをスケジュールするＵＥ選択モジュールをさらに備える、請求項３５に記載の装置。
【請求項４３】
前記装置が、前記第２のノードまたは前記ワイヤレスネットワークの別のノードによって制御される少なくとも１つの第２のバックホール報告セットのメンバーである、請求項３５に記載の装置。
【請求項４４】
ワイヤレスネットワークのノードによってサービスされるＵＥのセットのためのチャネル状態情報（ＣＳＩ）を取得するための手段と、
前記ＣＳＩのメトリックを前記ワイヤレスネットワークの第２のノードにサブミットするための手段であって、前記ノードと前記第２のノードとが、多地点協調（ＣｏＭＰ）ワイヤレス通信に関係する基地局の少なくとも１つの半静的バックホール報告セット内に含まれる、サブミットするための手段と、
前記ＣｏＭＰワイヤレス通信の１つの信号についてのデータと送信係数とを受信するための手段であって、前記送信係数が前記第２のノードによって計算される、受信するための手段と
を備える、ワイヤレス通信のための装置。
【請求項４５】
ワイヤレス通信のために構成された少なくとも１つのプロセッサであって、
ワイヤレスネットワークのノードによってサービスされるＵＥのセットのためのチャネル状態情報（ＣＳＩ）を取得する第１のモジュールと、
前記ＣＳＩのメトリックを前記ワイヤレスネットワークの第２のノードにサブミットする第２のモジュールであって、前記ノードと前記第２のノードとが、多地点協調（ＣｏＭＰ）ワイヤレス通信に関係する基地局の少なくとも１つの半静的バックホール報告セット内に含まれる、第２のモジュールと、
前記ＣｏＭＰワイヤレス通信の１つの信号についてのデータと送信係数とを受信する第３のモジュールであって、前記送信係数が前記第２のノードによって計算される、第３のモジュールと
を備える、プロセッサ。
【請求項４６】
コンピュータに、ワイヤレスネットワークのノードによってサービスされるＵＥのセットのためのチャネル状態情報（ＣＳＩ）を取得させるための第１のコードセットと、
前記コンピュータに、前記ＣＳＩのメトリックを前記ワイヤレスネットワークの第２のノードにサブミットさせるための第２のコードセットであって、前記ノードと前記第２のノードとが、多地点協調（ＣｏＭＰ）ワイヤレス通信に関係する基地局の少なくとも１つの半静的バックホール報告セット内に含まれる、第２のコードセットと、
前記コンピュータに、前記ＣｏＭＰワイヤレス通信の１つの信号についてのデータと送信係数とを受信させるための第３のコードセットであって、前記送信係数が前記第２のノードによって計算される、第３のコードセットと
を備える、コンピュータ可読媒体
を備える、コンピュータプログラム製品。
【請求項４７】
近隣基地局のセットからの受信されたワイヤレス信号を測定することと、
ターゲットキャリア対残留干渉レベルに関係する最小しきい信号強度を上回る、前記受信されたワイヤレス信号のうちのワイヤレス信号のセットを識別することと、
ワイヤレス信号の前記セットのためのチャネル状態情報（ＣＳＩ）を判断することと、
近隣基地局の前記セットのスケジューリング決定とは無関係に、前記ＣＳＩからチャネル品質情報（ＣＱＩ）を計算することと
を備える、ワイヤレス通信の方法。
【請求項４８】
前記ＣＱＩに基づく多地点協調（ＣｏＭＰ）送信のためのリソースロケーション割当てとＣＱＩフィードバックとを受信することをさらに備え、前記リソースロケーション割当てまたは前記ＣＱＩフィードバックが、近隣基地局の前記セットのスケジューリング決定とは無関係に判断される、請求項４７に記載の方法。
【請求項４９】
前記ＣＱＩに少なくとも部分的に基づくＣｏＭＰ送信のためのレート割当てを受信することをさらに備え、前記レート割当てが、随意に、近隣基地局の前記セットのスケジューリング決定にさらに基づく、請求項４７に記載の方法。
【請求項５０】
ワイヤレスチャネルのセット上で前記ＣｏＭＰ送信の複数のダウンリンク送信信号を受信することと、ワイヤレスチャネルの前記セットのアグリゲート上のチャネル利得または残留干渉を測定することと、後続のダウンリンク送信のチャネル品質予測を可能にするために、前記チャネル利得または前記残留干渉に少なくとも部分的に基づくチャネル品質のメトリックをサービング基地局にサブミットすることとをさらに備える、請求項４７に記載の方法。
【請求項５１】
多地点協調（ＣｏＭＰ）送信のための分散スケジューリングを可能にするための命令を記憶するためのメモリと、
前記命令を実装するモジュールを実行するためのデータプロセッサと
を備える、ワイヤレス通信のための装置であって、前記モジュールが、
近隣基地局のセットからの受信されたワイヤレス信号を測定し、ターゲットキャリア対残留干渉レベルに関係する最小しきい信号強度を上回る、前記受信されたワイヤレス信号のうちのワイヤレス信号のセットを識別する分析モジュールと、
ワイヤレス信号の前記セットのためのチャネル状態情報（ＣＳＩ）を判断し、近隣基地局の前記セットのスケジューリング決定とは無関係に、前記ＣＳＩからチャネル品質情報（ＣＱＩ）を計算する計算モジュールと
を備える、装置。
【請求項５２】
前記ＣＱＩに基づく前記ＣｏＭＰ送信のためのリソースロケーション割当てとＣＱＩフィードバックとを取得する受信機をさらに備え、前記リソースロケーション割当てまたは前記ＣＱＩフィードバックが、近隣基地局の前記セットのスケジューリング決定とは無関係に判断される、請求項５１に記載の装置。
【請求項５３】
前記受信機が、前記ＣＱＩに少なくとも部分的に基づく前記ＣｏＭＰ送信のためのレート割当てをさらに取得し、前記レート割当てが、随意に、近隣基地局の前記セットのスケジューリング決定にさらに基づく、請求項５２に記載の装置。
【請求項５４】
前記装置が、ワイヤレスチャネルのセット上で前記ＣｏＭＰ送信の複数のダウンリンク送信信号を受信し、
前記分析モジュールが、ワイヤレスチャネルの前記セットのアグリゲート上のチャネル利得または残留干渉を測定し、後続のダウンリンク送信のチャネル品質予測を可能にするために、前記チャネル利得または前記残留干渉に少なくとも部分的に基づくチャネル品質のメトリックをサービング基地局にサブミットする、
請求項５１に記載の装置。
【請求項５５】
近隣基地局のセットからの受信されたワイヤレス信号を測定するための手段と、
ターゲットキャリア対残留干渉レベルに関係する最小しきい信号強度を上回る、前記受信されたワイヤレス信号のうちのワイヤレス信号のセットを識別するための手段と、
ワイヤレス信号の前記セットのためのチャネル状態情報（ＣＳＩ）を判断するための手段と、
近隣基地局の前記セットのスケジューリング決定とは無関係に、前記ＣＳＩからチャネル品質情報（ＣＱＩ）を計算するための手段と
を備える、ワイヤレス通信のための装置。
【請求項５６】
ワイヤレス通信のために構成された少なくとも１つのプロセッサであって、
近隣基地局のセットからの受信されたワイヤレス信号を測定する第１のモジュールと、
ターゲットキャリア対残留干渉レベルに関係する最小しきい信号強度を上回る、前記受信されたワイヤレス信号のうちのワイヤレス信号のセットを識別する第２のモジュールと、
ワイヤレス信号の前記セットのためのチャネル状態情報（ＣＳＩ）を判断する第３のモジュールと、
近隣基地局の前記セットのスケジューリング決定とは無関係に、前記ＣＳＩからチャネル品質情報（ＣＱＩ）を計算する第４のモジュールと
を備える、プロセッサ。
【請求項５７】
コンピュータに、近隣基地局のセットからの受信されたワイヤレス信号を測定させるための第１のコードセットと、
前記コンピュータに、ターゲットキャリア対残留干渉レベルに関係する最小しきい信号強度を上回る、前記受信されたワイヤレス信号のうちのワイヤレス信号のセットを識別させるための第２のコードセットと、
前記コンピュータに、ワイヤレス信号の前記セットのためのチャネル状態情報（ＣＳＩ）を判断させるための第３のコードセットと、
前記コンピュータに、近隣基地局の前記セットのスケジューリング決定とは無関係に、前記ＣＳＩからチャネル品質情報（ＣＱＩ）を計算させる第４のコードセットと
を備える、コンピュータ可読媒体
を備える、コンピュータプログラム製品。
【発明の詳細な説明】
【技術分野】
【０００１】
［米国特許法第１１９条に基づく優先権の主張］
本特許出願は、本出願の譲受人に譲渡され、参照により本明細書に明確に組み込まれる、２００９年８月２１日に出願された「MULTIPOINT EQUALIZATION FRAMEWORK FOR COORDINATED MULTIPOINT TRANSMISSION」と題する仮特許出願第６１／２３６，００８号の優先権を主張する。
【背景技術】
【０００２】
[背景］
I.分野
以下の説明は、一般に、ワイヤレス通信に関し、より詳細には、有意なワイヤレス干渉を観測する端末のためのワイヤレス通信を可能にすることに関する。
【０００３】
II.背景
ワイヤレス通信システムは、ボイスコンテンツ、データコンテンツなど様々なタイプの通信コンテンツを与えるために広く展開されている。典型的なワイヤレス通信システムは、利用可能なシステムリソース（たとえば、帯域幅、送信電力、．．．）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、システムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ  Ｌｏｎｇ  Ｔｅｒｍ  Ｅｖｏｌｕｔｉｏｎ（ＬＴＥ）、Ｕｌｔｒａ  Ｍｏｂｉｌｅ  Ｂｒｏａｄｂａｎｄ（ＵＭＢ）などの仕様、あるいはＥｖｏｌｕｔｉｏｎ  Ｄａｔａ  Ｏｐｔｉｍｉｚｅｄ（ＥＶ−ＤＯ）、その１つまたは複数のリビジョンなどのマルチキャリアワイヤレス仕様に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上での送信を介して１つまたは複数の基地局と通信することができる。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局の間の通信は、単入力単出力（ＳＩＳＯ）システム、多入力単出力（ＭＩＳＯ）システム、多入力多出力（ＭＩＭＯ）システムなどを介して確立できる。
【０００５】
ＭＩＭＯシステムは、データ送信用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０００６】
ＭＩＭＯシステムは時分割複信（ＴＤＤ）システムと周波数分割複信（ＦＤＤ）システムとをサポートする。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を取り出すことが可能になる。
【０００７】
ＭＩＭＯシステムに基づくワイヤレス通信における１つの進歩は、多地点協調（ＣｏＭＰ：coordinated multipoint）ワイヤレス通信である。ＣｏＭＰ送信は、別々のデータ信号を１つのユーザ機器（ＵＥ：user equipment）に送信するために、複数の基地局を採用する。さらに、それぞれの基地局は、単一のアンテナから、または複数のアンテナから送信することができる。その結果、ＣｏＭＰフレームワークは、複数の基地局の協調ジョイント送信（coordinated joint transmission）を可能にし、協調ジョイント送信は、直接送信、またはビームフォーミング送信、あるいはそれらの組合せを含むことができる。
【０００８】
ＣｏＭＰ送信は、いくつかのワイヤレス環境についてチャネル利得の増加を達成する。たとえば、ワイヤレスネットワーク中に支配的な干渉物が存在する場合、利得は一般に最大にされる。しかしながら、より弱い独立した送信機を備えるオープンな無線アクセスネットワーク展開では、基地局の間の協調は制限され得る。さらに、支配的な干渉物が存在しない場合、ＣｏＭＰ送信の全体的な利得は比較的最適ではないことがある。したがって、様々な干渉源を伴う様々なタイプの展開においてＣｏＭＰ利得を改善するための新しい機構が、ワイヤレス通信における最近の動向の１つの源である。
【発明の概要】
【０００９】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、本開示の１つまたは複数の態様のいくつかの概念を簡略化された形で提示することである。
【００１０】
本開示は、ワイヤレス通信における多地点協調（ＣｏＭＰ）送信のための多地点等化（ＭＰＥ：multipoint equalization）フレームワークを提供する。開示するＭＰＥフレームワークは、ＣｏＭＰ送信のための分散スケジューリング(distributed scheduling)決定に関与し、複数のネットワーク基地局のためのスケジューリング決定を協調させる集中型スケジューリング技法と比較してスケジューリング協調の複雑さを低減する。さらに、ＭＰＥフレームワークは、様々なネットワーク展開、特に計画された展開における実質的な利得を示す。
【００１１】
例示的な一実装形態として、本開示の態様によるＣｏＭＰは、ワイヤレスネットワークのサービング(serving)ノードによってサービスされるユーザ機器（ＵＥ）からチャネル状態情報（ＣＳＩ：channel state information）を受信することを備えることができる。ＣＳＩは、少なくとも部分的に他の非サービングノードのスケジューリング決定とは無関係である、ＵＥのうちの１つまたは複数のためのＣｏＭＰ送信をスケジュールするために採用される。スケジューリング決定が判断されると、ノードが、あらかじめ定義された半静的バックホール報告セット(backhaul reporting set)内にある他のノードに、追加のＣＳＩ情報を報告する。サービングノードは、これらの他のノードから受信したＣＳＩ情報を採用して、ＣｏＭＰ送信の個々の信号のための送信パラメータを計算し、これらの個々の信号とともに送信されるべきデータとともに、それぞれの送信パラメータをバックホール報告セットの選択されたサブセットに配信する。このようにして、バックホール利用は、ノードを結合するバックホールネットワーク上の２つのトランザクションに限定される。次いで、ＣｏＭＰ送信は、それぞれの送信パラメータに従ってそれぞれのノードによって送信される。後続のＣｏＭＰ送信をさらに改良するために、これらのＣｏＭＰ送信に起因する実際の利得測定値がサービングノードに報告され得る。この実装形態では、ＣｏＭＰ送信について提案された従来のソリューションと比較して、有意なチャネル利得が観測され、全体的なワイヤレス通信を改善する。
【００１２】
本開示の特定の態様では、ワイヤレス通信のための方法が提供される。本方法は、ワイヤレスネットワークのノードによってサービスされるＵＥのセットから、ＣＳＩの第１のセットを受信することを備えることができる。さらに、本方法は、ＣＳＩのセットに基づいてＵＥのセットのうちのＵＥのためのＣｏＭＰ送信をスケジュールすることを備えることができる。その上、本方法は、ノードにおいて、ワイヤレスネットワークのそれぞれのノード（ノードの送信セット）によって送信されるべきＣｏＭＰ送信の複数の信号のための送信係数（transmission coefficient）を計算することを備えることができる。
【００１３】
さらなる態様では、ワイヤレス通信のための装置が開示される。本装置は、ＣｏＭＰワイヤレス通信のための分散スケジューリングと分散信号計算とを行うように構成された命令を記憶するためのメモリと、それらの命令を実装するモジュールを実行するためのデータプロセッサとを備えることができる。特に、これらのモジュールは、ＵＥと基地局の報告セット(reporting set)内の基地局との間のワイヤレスチャネルに関係する、装置によってサービスされるＵＥからのＣＳＩの第１のセットを取得し、基地局のバックホール報告セットのそれぞれの基地局と、ＵＥへのＣｏＭＰ送信によって影響を及ぼされることが予想されるＵＥのセットとの間のワイヤレスチャネルに関係するバックホール報告セットからのＣＳＩの第２のセットを取得する受信モジュールを備えることができる。さらに、モジュールは、装置によって計算されたＣｏＭＰのそれぞれの送信パラメータをＣｏＭＰ送信に参加している基地局の送信セットに転送する配信モジュールを備えることができる。
【００１４】
別の態様では、ワイヤレス通信のための装置が開示される。本装置は、ワイヤレスネットワークのノードによってサービスされるＵＥのセットからＣＳＩの第１のセットを受信するための手段を備えることができる。さらに、本装置は、ＣＳＩのセットに基づいてＵＥのセットのうちのＵＥのためのＣｏＭＰ送信をスケジュールするための手段を備えることができる。さらに、本装置はまた、ノードにおいて、ワイヤレスネットワークのそれぞれのノードによって送信されるべきＣｏＭＰ送信の複数の信号のための送信係数を計算するための手段を備えることができる。
【００１５】
さらに他の態様では、ワイヤレス通信のために構成された少なくとも１つのプロセッサが提供される。（１つまたは複数の）プロセッサは、ワイヤレスネットワークのノードによってサービスされるＵＥのセットからＣＳＩの第１のセットを受信する第１のモジュールと、ＣＳＩのセットに基づいてＵＥのセットのうちのＵＥのためのＣｏＭＰ送信をスケジュールする第２のモジュールとを備えることができる。さらに、（１つまたは複数の）プロセッサは、ノードにおいて、ワイヤレスネットワークのそれぞれのノードによって送信されるべきＣｏＭＰ送信の複数の信号のための送信係数を計算する第３のモジュールを備えることができる。
【００１６】
さらに別の態様では、本開示は、コンピュータ可読媒体を備えるコンピュータプログラム製品を提供する。コンピュータ可読媒体は、コンピュータに、ワイヤレスネットワークのノードによってサービスされるＵＥのセットからＣＳＩの第１のセットを受信させるための第１のコードセット(set of code)を備えることができる。コンピュータ可読媒体はさらに、コンピュータに、ＣＳＩのセットに基づいてＵＥのセットのうちのＵＥのためのＣｏＭＰ送信をスケジュールさせるための第２のコードセットを備えることができる。さらに、コンピュータ可読媒体は、コンピュータに、ノードにおいて、ワイヤレスネットワークのそれぞれのノードによって送信されるべきＣｏＭＰ送信の複数の信号のための送信係数を計算させるための第３のコードセットを備えることができる。
【００１７】
上記に加えて、１つまたは複数の開示する態様は、ワイヤレス通信の方法について説明する。本方法は、ワイヤレスネットワークのノードによってサービスされるＵＥのセットのためのＣＳＩを取得することを備えることができる。上記に加えて、本方法は、ＣＳＩのメトリック(metric)をワイヤレスネットワークの第２のノードにサブミット(submit)することであって、ノードと第２のノードとが、ＣｏＭＰワイヤレス通信に関係する基地局の少なくとも１つの半静的バックホール報告セット内に含まれる、サブミットすることを備えることができる。さらに、本方法は、ＣｏＭＰワイヤレス通信の１つの信号についてのデータと送信係数とを受信することであって、送信係数が第２のノードによって計算される、受信することを備えることができる。
【００１８】
他の態様では、ワイヤレス通信のための装置が提供される。本装置は、ＣｏＭＰワイヤレス通信のための分散スケジューリングを行うように構成された命令を記憶するためのメモリと、それらの命令を実装するモジュールを実行するためのデータプロセッサとを備えることができる。モジュールは、ワイヤレスネットワークのノードによってサービスされるＵＥのセットのためのＣＳＩを取得するアップリンクモジュールと、ＣＳＩのメトリックをワイヤレスネットワークの第２のノードにサブミットする配信モジュールであって、ノードと第２のノードとが、多地点協調（ＣｏＭＰ）ワイヤレス通信に関係する基地局の少なくとも１つの半静的バックホール報告セット内に含まれる、配信モジュールとを備えることができる。その上、本装置は、ＣｏＭＰワイヤレス通信の１つの信号についてのデータと送信係数とを取得する受信モジュールであって、送信係数が第２のノードによって計算される、受信モジュールを備えることができる。
【００１９】
さらに、１つまたは複数の態様が、ワイヤレス通信のための装置を提供する。本装置は、ワイヤレスネットワークのノードによってサービスされるＵＥのセットのためのＣＳＩを取得するための手段を備えることができる。さらに、本装置は、ＣＳＩのメトリックをワイヤレスネットワークの第２のノードにサブミットするための手段であって、ノードと第２のノードとが、ＣｏＭＰワイヤレス通信に関係する基地局の少なくとも１つの半静的バックホール報告セット内に含まれる、サブミットするための手段を備えることができる。さらに、本装置は、ＣｏＭＰワイヤレス通信の１つの信号についてのデータと送信係数とを受信するための手段であって、送信係数が第２のノードによって計算される、受信するための手段を備えることができる。
【００２０】
さらに別の態様では、ワイヤレス通信のために構成された少なくとも１つのプロセッサが提供される。（１つまたは複数の）プロセッサは、ワイヤレスネットワークのノードによってサービスされるＵＥのセットのためのＣＳＩを取得する第１のモジュールを備えることができる。さらに、（１つまたは複数の）プロセッサは、ＣＳＩのメトリックをワイヤレスネットワークの第２のノードにサブミットする第２のモジュールであって、ノードと第２のノードとが、ＣｏＭＰワイヤレス通信に関係する基地局の少なくとも１つの半静的バックホール報告セット内に含まれる、第２のモジュールを備えることができる。その上、（１つまたは複数の）プロセッサは、ＣｏＭＰワイヤレス通信の１つの信号についてのデータと送信係数とを受信する第３のモジュールであって、送信係数が第２のノードによって計算される、第３のモジュールを備えることができる。
【００２１】
本開示のさらに他の態様が、コンピュータ可読媒体を備えるコンピュータプログラム製品を提供する。コンピュータ可読媒体は、コンピュータに、ワイヤレスネットワークのノードによってサービスされるＵＥのセットのためのＣＳＩを取得させるための第１のコードセットを備えることができる。さらに、コンピュータ可読媒体は、コンピュータに、ＣＳＩのメトリックをワイヤレスネットワークの第２のノードにサブミットさせるための第２のコードセットであって、ノードと第２のノードとが、ＣｏＭＰワイヤレス通信に関係する基地局の少なくとも１つの半静的バックホール報告セット内に含まれる、第２のコードセットを備えることができる。さらに、コンピュータ可読媒体は、コンピュータに、ＣｏＭＰワイヤレス通信の１つの信号についてのデータと送信係数とを受信させる第３のコードセットであって、送信係数が第２のノードによって計算される、第３のコードセットを備えることができる。
【００２２】
上記に加えて、様々な態様がワイヤレス通信の方法を提供する。本方法は、近隣基地局のセットからの受信されたワイヤレス信号を測定することと、ターゲットキャリア(target carrier)対残留干渉(residual interference)レベルに関係する最小しきい信号強度を上回る、受信されたワイヤレス信号のうちのワイヤレス信号のセットを識別することとを備えることができる。さらに、本方法は、ワイヤレス信号のセットのためのＣＳＩを判断することと、近隣基地局のセットのスケジューリング決定とは無関係に、ＣＳＩからＣＱＩを計算することとを備えることができる。
【００２３】
別の態様では、ワイヤレス通信のための装置が提供される。本装置は、ＣｏＭＰ送信のための分散スケジューリングを可能にするための命令を記憶するためのメモリと、それらの命令を実装するモジュールを実行するためのデータプロセッサとを備えることができる。特に、モジュールは、近隣基地局のセットからの受信されたワイヤレス信号を測定し、ターゲットキャリア対残留干渉レベルに関係する最小しきい信号強度を上回る、受信されたワイヤレス信号のうちのワイヤレス信号のセットを識別する分析モジュールを含むことができる。さらに、モジュールは、ワイヤレス信号のセットのためのＣＳＩを判断し、近隣基地局のセットのスケジューリング決定とは無関係にＣＳＩからＣＱＩを計算する計算モジュールを含むことができる。
【００２４】
さらに他の態様では、ワイヤレス通信のための装置が開示される。本装置は、近隣基地局のセットからの受信されたワイヤレス信号を測定するための手段と、ターゲットキャリア対残留干渉レベルに関係する最小しきい信号強度を上回る、受信されたワイヤレス信号のうちのワイヤレス信号のセットを識別するための手段とを備えることができる。その上、本装置は、ワイヤレス信号のセットのためのＣＳＩを判断するための手段と、近隣基地局のセットのスケジューリング決定とは無関係に、ＣＳＩからＣＱＩを計算するための手段とを備えることができる。
【００２５】
別の開示する態様では、ワイヤレス通信のために構成された少なくとも１つのプロセッサが提供される。（１つまたは複数の）プロセッサは、近隣基地局のセットからの受信されたワイヤレス信号を測定する第１のモジュールと、ターゲットキャリア対残留干渉レベルに関係する最小しきい信号強度を上回る、受信されたワイヤレス信号のうちのワイヤレス信号のセットを識別する第２のモジュールとを備えることができる。その上、（１つまたは複数の）プロセッサは、ワイヤレス信号のセットのためのＣＳＩを判断する第３のモジュールと、近隣基地局のセットのスケジューリング決定とは無関係に、ＣＳＩからＣＱＩを計算する第４のモジュールとを備えることができる。
【００２６】
さらなる態様では、本開示は、コンピュータ可読媒体を備えるコンピュータプログラム製品を提供する。コンピュータ可読媒体は、コンピュータに、近隣基地局のセットからの受信されたワイヤレス信号を測定させるための第１のコードセットを備えることができる。さらに、コンピュータ可読媒体は、コンピュータに、ターゲットキャリア対残留干渉レベルに関係する最小しきい信号強度を上回る、受信されたワイヤレス信号のうちのワイヤレス信号のセットを識別させるための第２のコードセットを備えることができる。さらに、コンピュータ可読媒体は、コンピュータに、ワイヤレス信号のセットのためのＣＳＩを判断させるための第３のコードセットと、コンピュータに、近隣基地局のセットのスケジューリング決定とは無関係に、ＣＳＩからＣＱＩを計算させるための第４のコードセットとを備えることができる。
【００２７】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００２８】
【図１】多地点協調（ＣｏＭＰ）ワイヤレス通信のための例示的なワイヤレス通信環境のブロック図。
【図２】ＣｏＭＰワイヤレス通信のための多地点等化（ＭＰＥ）フレームワークを与える例示的な装置のブロック図。
【図３】本開示の様々な態様のためのＭＰＥフレームワークのための例示的なワイヤレス環境の図。
【図４】開示するＭＰＥフレームワークに関与する基地局のそれぞれのセットを備える例示的なワイヤレス環境の図。
【図５】さらなる開示する態様によるＣｏＭＰ送信に好適な例示的なワイヤレス通信のブロック図。
【図６】追加の態様による、ＣｏＭＰワイヤレス通信を管理するために構成された例示的な基地局のブロック図。
【図７】ＣｏＭＰワイヤレス通信を改善するための開示するＭＰＥフレームワークを可能にするための例示的なユーザ機器のブロック図。
【図８】さらに他の開示する態様によるＣｏＭＰ送信を実装するための例示的な方法のフローチャート。
【図９】さらなる態様による、ＣｏＭＰ送信におけるＭＰＥフレームワークを与えるための例示的な方法のフローチャート。
【図１０】別の態様によるＣｏＭＰ送信に参加するための例示的な方法のフローチャート。
【図１１】ＣｏＭＰワイヤレス通信のためのＭＰＥフレームワークを可能にするための例示的な方法のフローチャート。
【図１２】ＣｏＭＰワイヤレス通信のためのＭＰＥフレームワークを実装する例示的な装置のブロック図。
【図１３】ＣｏＭＰ送信に参加するための例示的な装置のブロック図。
【図１４】特定の開示する態様によるＣｏＭＰ通信を可能にするための例示的な装置のブロック図。
【図１５】いくつかの開示する態様によるワイヤレス通信を可能にする例示的なワイヤレス送信受信チェーンのブロック図。
【図１６】本開示の様々な態様のための例示的なワイヤレス通信システムのブロック図。
【図１７】１つまたは複数の開示する態様に好適な例示的なセルベースのワイヤレス通信構成のブロック図。
【発明を実施するための形態】
【００２９】
［詳細な説明］
次に、図面を参照しながら様々な態様について説明する。図面では、全体にわたって同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの特定の詳細なしに実施できることは明らかであろう。他の例では、１つまたは複数の態様の説明を円滑にするために、よく知られた構造およびデバイスをブロック図の形態で示す。
【００３０】
さらに、本開示の様々な態様について以下で説明する。本明細書の教示は多種多様な形態で実施され得、本明細書で開示する特定の構造および／または機能は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載の態様をいくつ使用しても、装置を実装し、および／または方法を実施することができる。さらに、本明細書に記載の態様のうちの１つまたは複数に加えて、あるいはそれら以外に、他の構造および／または機能を使用して装置を実装し、および／または方法を実施することができる。一例として、本明細書で説明する方法、デバイス、システム、および装置の多くについて、特に、多地点協調ワイヤレス通信のための多地点等化フレームワークを与えることに関して説明する。同様の技法が他の通信環境に適用できることを、当業者なら諒解されよう。
【００３１】
ワイヤレスアクセスネットワーク（ＡＮ）におけるワイヤレス基地局（ＢＳ）の計画展開では、一般に、トランシーバデバイスの位置、間隔および送信／受信特性を考慮する。計画基地局展開の１つの目的は、送信機間の干渉を低減することである。したがって、たとえば、１つの展開計画では、異なる基地局をそれぞれの最大送信範囲にほぼ等しい距離だけ離間させ得る。このタイプの展開では、基地局間の信号干渉が多くの状況で最小限に抑えられる。しかしながら、２つの隣接セルのエッジの近くのモバイル端末の場合、近隣セルの信号が、サービングセルの信号と匹敵する強度で観測され得る。この場合、近隣セルは、計画ネットワーク展開においてでさえモバイル端末に対して著しい干渉を引き起こし得る。
【００３２】
本発明の態様は、ジョイント送信セル環境(joint transmission cell environment)においてパラメータをスケジューリングし、定義する分散型の方法を供給し、基地局をスケジュールすることは、ターゲットユーザ機器（ＵＥ）にパケットを送信することに複数の基地局が関与するにもかかわらず、互いとは無関係に実行される。そのような構成は、複数のセルをアグリゲートし、当該のユーザにエネルギーを効果的にステアリングし、ＵＥ間の干渉を緩和するために、ダウンリンク上で複数のＵＥにデータを送信する（たとえば、ＵＥへの様々な送信を直交化し、他のＵＥへの干渉を緩和しながら、当該のＵＥに到着するパケットはエネルギーを増強する）。
【００３３】
したがって、スケジューリングは分散様式で行われるが、それぞれのＵＥと対応するスケジューリング決定とチャネル状態情報とがＵＥ間で共有され得る。したがって、高い送信エネルギーを維持し、他のユーザへの干渉を低減しながら、パケットを送信するための実際のビームおよび／または送信波が異なる基地局から到着する。そのようなデータに基づいて、次いで、関連する送信係数が、分散様式で計算され、基地局によって採用され得る。それぞれの送信係数は、ワイヤレス通信システム全体にわたって伝搬され得、各セルにおいて、送信されるべきパケットが識別され、スケジューリング／チャネル情報が共有され、その後データパケットの実際の送信が続く。これは、基地局の間のハンドオーバ領域と近隣セル上の関連するクラスタリングとに主に焦点を合わせる従来の協調、または集中型初期ＵＥスケジューリングのためのスケジューリングの複雑なセル間判断に関与する集中型多地点協調とは対照的である。
【００３４】
次に図を参照すると、図１に、本開示の様々な態様による、多地点協調（ＣｏＭＰ）ワイヤレス通信のための分散スケジューリングを実装するのに好適な例示的なワイヤレスシステム１００のブロック図が示されている。ワイヤレスシステム１００は、ＣｏＭＰ管理装置１０４を含むか、またはそれに結合されるワイヤレスネットワークのサービングセル１０２を含む。ＣｏＭＰ管理装置１０４は、一般に、ＣｏＭＰワイヤレス通信のための分散スケジューリングを与えるように構成される。本明細書で利用する、分散スケジューリングは、サービングセル１０２または他のセルのためにアクティビティを実装する集中型ネットワークエンティティ（たとえば、無線ネットワーク制御、モビリティ管理エンティティ、基地局コントローラ、別の基地局など、以下の図１６参照）においてではなく、ＵＥをサポートするサービングセル（たとえば、サービングセル１０２）において、ＵＥのための特定のワイヤレス送信を行うことに関与するアクティビティを実行することを指す。分散スケジューリングアクティビティの例は、所与の時間サブフレームまたは時間サブスロット中のデータ送信のためのＵＥを選択することと、データ送信のためのＵＥにサブフレーム内のワイヤレスリソースロケーション（たとえば、時間周波数リソース）を割り当てることと、チャネル品質またはチャネル状態報告などに応答してチャネル品質情報（ＣＱＩ：channel quality information）フィードバックをＵＥにサブミットすることとを含むことができる。
【００３５】
上記に加えて、ＣｏＭＰ管理装置１０４は、ワイヤレスネットワークの他のセルのスケジューリング決定とは無関係に、少なくともスケジューリングアクティビティのサブセットをさらに実行することができる。従来、ＣｏＭＰ通信が、ＣｏＭＰ通信に関与するか、またはＣｏＭＰ通信からの干渉によって影響を及ぼされるセル間の高度の情報共有を必要とすると仮定される。この仮定は、複数のセルによって同時に送られるデータ送信が、そのデータ送信によって生じるネットワーク干渉の量とネットワーク干渉の範囲の両方を潜在的に増加させ、それによって、より大きい地理的領域上のより多数のＵＥに影響を及ぼし得ることに由来する。セルのセットが単一のサブフレームにおいて複数のＣｏＭＰ送信を行っている場合、セルのセットと周囲のセルとについての全体的な干渉は複雑な関数になり得、従来の干渉緩和(interference mitigation)技法、たとえば、分離または協調ビーム成形（isolated or coordinated beamshaping）、信号消去、送信電力低減、チャネル予測およびリソース選択などが困難になり、ネットワーク全体では、極めて困難になる。さらに、この情報共有は、従来、ＣｏＭＰ通信を有益にするために十分なチャネル利得を達成するために、いくつかの情報ホップ、すなわちセル間のデータの一方向交換を要求することがある。最低でも、セル間で共有される情報は、セルを結合するバックホールネットワーク上にオーバーヘッドを追加し、ワイヤレスネットワークの効力を低減する。さらに、より多数の情報ホップは、バックホールネットワークのレイテンシに応じて、様々なワイヤレス展開において著しい遅延を追加する。遅延の増加は、ワイヤレス効力をさらに低減する。
【００３６】
これらの問題または関連する問題に対処するために、本開示の特定の態様は、他のセルのスケジューリング決定とは無関係に、少なくともいくつかの分散スケジューリングアクティビティを実行することを可能にする多地点等化（ＭＰＥ）フレームワークを提供する。これは、ＣｏＭＰ送信のためのセル間協調の複雑さを大幅に低減することができ、ＣｏＭＰ送信を実装するのに必要ないくつかのバックホールホップを低減する。本明細書でより詳細に説明するように、ＭＰＥフレームワークは、最高２つのバックホールホップでＣｏＭＰ通信を達成することができる。
【００３７】
ＣｏＭＰ管理装置１０４は、ＣｏＭＰワイヤレス通信のための分散スケジューリングと分散信号計算とを行うように構成された命令を記憶するためのメモリ１１０と、それらの命令を実装するモジュールを実行するためのデータプロセッサ１１２とを備えることができる。特に、ＣｏＭＰ管理装置１０４は、サービングセル１０２によってサービスされるＵＥ１０８からのチャネル状態情報（ＣＳＩ）の第１のセット１１６を取得する受信モジュール１１４を備えることができる。ＣＳＩの第１のセット１１６は、ＵＥと、基地局の報告セット内の基地局との間のワイヤレスチャネルに関係する（図示せず、以下の図３および図４参照）。本明細書で利用する、基地局の報告セットは、ＵＥ１０８など、ワイヤレスネットワークの個々のＵＥに対して判断され、報告セット基地局の最大数まで、基地局の測定セット内にある基地局から選択される。したがって、報告セット中の基地局の数≦測定セット中の基地局の数である。さらに、ＵＥ１０８に関連する基地局の測定セットは、ＵＥ１０８によって観測された、それぞれのパイロット信号が最小しきい信号強度を上回る基地局を備えるとして定義される。この最小しきい信号強度は、ＵＥ１０８に対するターゲットキャリア対残留干渉レベル（Ｃ／Ｉ：carrier to residual interference level）を上回る非協調または実質的に非協調長期Ｃ／Ｉを有する基地局を識別するために、サービングセル１０２によって確立される（一態様では、長期は、複数のサブフレームにわたるＣ／Ｉの統計的平均を指すことがあり、残留干渉レベルは以下でより詳細に説明する）。これは、ハンドオーバ判断ではなくワイヤレス送信を可能にするために、チャネル品質情報（ＣＱＩ）、およびチャネル利得、レート割当て、帯域幅割当てなどの関連する送信パラメータを判断するようにターゲットＣ／Ｉレベルが設定されるので、最小しきい信号強度および基地局の測定セットを、様々なワイヤレスシステム（たとえば、エボリューションデータオプティマイズド［ＥＶ−ＤＯ］ワイヤレスシステム）においてハンドオーバ判断のために採用される基地局のアクティブセットと区別する。ただし、測定セットと報告セットとは、経時的に変更でき、ＵＥ１０８によって周期的に送信されるＣＳＩの第１のセット１１６は、基地局の報告セットの変更を反映する。
【００３８】
ＵＥ１０８から取得されたＣＳＩの第１のセット１１６に基づいて、サービングセル１０２は、サービングセル１０２によってサービスされるＵＥのための、ＣｏＭＰ送信を含む送信を独立してスケジュールすることができる。送信スケジューリングは、サービングセル１０２によってサービスされるどのＵＥが所与のサブフレームにおいて送信するかを選択することと、それぞれの送信についてそれぞれのＵＥに時間周波数リソースを割り振ることと、随意に、ＣＳＩの第１のセット１１６に基づくＣＱＩフィードバックを与えることとを含むことができる。ＣＳＩの第１のセット１１６により、ＣｏＭＰ管理装置１０４は、サービングセル１０２と、ＵＥ１０８と、サービングセル１０２によってサービスされる他のＵＥ（図示せず）との間のワイヤレスチャネルについての短期チャネル品質（約１つまたは２つのサブフレーム、またはそれ以下）を判断することが可能になる。さらに、ＣＳＩの第１のセット１１６は、ＣｏＭＰ管理装置１０４が、（たとえば、サービングセル１０２以外の基地局によってサポートされる）他のワイヤレスチャネルについての長期干渉（たとえば、残留干渉）およびバックグラウンド熱雑音を判断することを可能にすることができる。このそれぞれの短期チャネル品質および長期干渉／熱雑音は、十分な効力で、最小のバックホールオーバーヘッドで、さらにはバックホールオーバーヘッドなしで、独立した分散スケジューリング決定を可能にする。これは、従来のＣｏＭＰ通信に勝る有意な利点である。
【００３９】
少なくとも１つの態様では、ＣｏＭＰ管理装置１０４は、サービングセル１０２によってサービスされるＵＥのためのＣＳＩの第１のセット１１６から、チャネル利得または残留干渉を推定することができる。これは、時間周波数リソース割振りおよびＣＱＩフィードバックのために採用されるとすることができ、本開示の少なくとも１つの態様では、データレート、帯域幅割当て、または変調および符号化方式（ＭＣＳ：modulation and coding scheme）を推定するためにも利用され得る。したがって、一例では、ＵＥ１０８のための送信割当ては、他の基地局のスケジューリング決定とは部分的に無関係であるとすることができ、他の態様では、送信割当てはそれらのスケジューリング決定とは完全に無関係であるとすることができる。
【００４０】
本明細書で利用する、残留干渉レベルは、ＵＥ１０８において観測された受信信号エネルギーから、報告セット中の基地局（または随意に測定セット内の基地局）によって送信されたパイロット信号の信号エネルギーを引いたものとして定義される。したがって、残留干渉は、長期Ｃ／Ｉしきい値によって判断される最小しきい信号強度を個々に下回る信号のアグリゲーションを備える。残留干渉は、他のワイヤレスチャネルからの干渉によって影響を及ぼされるＵＥ１０８に関連するワイヤレスチャネルのチャネル品質を推定するために、ＣｏＭＰ管理装置１０４によって採用され得る。特に、このチャネル品質推定は、統計的多重化手法を利用して、基地局の報告セットのスケジューリング決定を知らずに実行され得る。たとえば、ワイヤレスネットワーク中の基地局は、一般に、多数の制約に基づいてスケジューリング決定を実行しており、それらの制約は、一般に、統計的に独立している。したがって、チャネル品質推定のために利用される短期チャネル雑音は、妥当な精度まで平均雑音レベルと近似され得る。この情報に基づいて、他のセルのスケジューリング決定の特定の知識なしに、サービングセル１０２によってより正確なスケジューリング決定が実行され得る。
【００４１】
上記に加えて、受信モジュール１１４はまた、バックホール報告セット１０６のそれぞれの基地局と、ＵＥへのＣｏＭＰ送信によって影響を及ぼされることが予想されるＵＥのセットとの間のワイヤレスチャネルに関係する、基地局のバックホール報告セット１０６からのＣＳＩの第２のセット１１８を取得する。バックホール報告セット１０６は、サービングセル１０２に対する基地局の半静的(semistatic)セットとして定義され、複数の基地局がＵＥ１０８へのＣｏＭＰ送信に参加する結果としての干渉を観測することが予想されるＵＥをサービスする基地局を備える。一例として、影響を及ぼされるＵＥは、ＵＥ１０８に向けられるＣｏＭＰ送信のデータ送信からの干渉を観測するか、またはデータ送信からのＵＥへの干渉を低減するか、もしくは別の緩和送信からの干渉を低減するように構成された、ＣｏＭＰ送信の緩和送信からの干渉を観測するＵＥを含むことができる（緩和送信は、特定のＵＥまたはＵＥのセットへの干渉を低減するために、ＣｏＭＰ送信の別の送信と弱め合うように干渉するデータ送信である。以下の図４参照）。バックホール報告セットは、ＣｏＭＰ送信について推定されたすべての送信についての長期チャネル強度測定値から判断され得、適宜に１つまたは複数の基地局を含めるかまたは除外するために更新され得る。さらに、バックホール報告セット１０６は、サービングセル１０２によって制御される。ただし、ワイヤレスシステム１００のために他のバックホール報告セットが定義され、（１つまたは複数の）別の基地局（図示せず）によって制御され得ることを諒解されたい。サービングセル１０２は、これらのバックホール報告セットのメンバーであるとすることができるが、一般に、バックホール報告セット１０６のみを制御する。
【００４２】
ＣＳＩの第２のセット１１８が受信モジュール１１４によって取得されると、ＣｏＭＰ管理装置１０４は、ＵＥ１０８に割り当てられたＣｏＭＰ送信の個々の送信のための送信パラメータ（たとえば、重み）を計算することに進むことができる。一例では、ＣＳＩの第２のセット１１８は、バックホール報告セット１１８内の基地局のスケジューリング決定に基づき、したがって、送信パラメータは、本明細書でより詳細に説明する、ＵＥ１０８に関連する報告セット外のワイヤレスチャネルの短期チャネル品質推定値に基づいて計算され得る。送信パラメータが判断されると、ＣｏＭＰ管理装置１０４によって計算されたＣｏＭＰ送信のそれぞれの送信パラメータを、ＣｏＭＰ送信に参加している基地局の送信セットに転送する配信モジュール１２０が採用され得る。送信セットのための基地局の選択を、以下の図２においてより詳細に説明する。
【００４３】
図２に、本開示の特定の態様による、ＣｏＭＰワイヤレス通信のために構成された例示的なワイヤレスシステム２００のブロック図を示す。ワイヤレスシステム２００は、ＣｏＭＰ管理装置２０４を含むかまたはそれに結合される基地局２０２を備える。本開示の少なくともいくつかの態様では、ＣｏＭＰ管理装置２０４は、上記の図１のＣｏＭＰ管理装置１０４の一部または全部の特徴を含む。ただし、本開示はこれらの態様に限定されず、ＣｏＭＰ管理装置２０４は、それらの特徴ならびに以下で説明する追加の特徴のすべてを含むことも含まないこともある。
【００４４】
特に、ＣｏＭＰ管理装置２０４は、基地局２０２によってサポートされるＣｏＭＰ送信のための独立した分散スケジューリングを実装することに関係する命令を記憶するためのメモリ２０６を備えることができる。さらに、メモリ２０６は、最高２つのバックホールホップを伴う分散ＣｏＭＰ送信パラメータ計算を実装するための命令を記憶することができる。これらの命令を実装するモジュールを実行するために、データプロセッサ２０８が採用される。
【００４５】
基地局２０２によってサービスされるＵＥに関係するチャネル状態情報（ＣＳＩの第１のセット）と、基地局２０２によって制御されるバックホール報告セット内の他の基地局（図示していないが、上記の図１、または以下の図２および図３参照）によってサービスされるＵＥに関係するチャネル状態情報（ＣＳＩの第２のセット）とを受信するために、ＣｏＭＰ管理装置２０４によって受信モジュール２１０が採用される。さらに、ＣＳＩの第１のセットは、ワイヤレス通信の所与のサブフレームについてのスケジューリング決定より前に報告される。
【００４６】
ＣＳＩの第１のセットに基づいて、サブフレーム内の基地局２０２によってサービスされるＵＥのためのＣｏＭＰ送信をスケジュールするＵＥ選択モジュール２１６が採用され得る。特に、ＵＥのためのスケジューリングは、ＣｏＭＰ管理装置とは別個の基地局（基地局２０２以外の基地局）のスケジューリング決定から独立しているとすることができ、ＵＥ選択モジュール２１６は、ＵＥをスケジュールするためのＣＳＩの第１のセットから導出されたチャネル状態を採用する。さらに、スケジューリングは、ＣＳＩの第２のセットを受信するより前に実行され得、スケジューリングが迅速に、バックホールレイテンシとは無関係に実行されることを可能にする。ＣＳＩの第１のセットは、基地局２０２によってサービスされるＵＥに割り当てられたアップリンクチャネル上で、アップリンクモジュール２１２を介して取得され得る。さらに、ＣＳＩの第２のセットは、本開示のいくつかの態様では、無線でアップリンクモジュール２１２によって取得されるか、または受信モジュール２１０のバックホールインターフェース（図示せず）を利用するバックホールリンク上で取得され得る。いくつかの態様では、ＣＳＩの第２のセットは、バックホール報告セット内の異なる基地局からバックホールリンク上で無線で取得され得る。
【００４７】
上記に加えて、ＣｏＭＰ管理装置２０４は、少なくとも部分的にＣＳＩの第１のセットまたはＣＳＩの第２のセットから、基地局２０２によってスケジュールされるＣｏＭＰ送信のためのそれぞれの送信パラメータを判断する処理モジュール２１８を備えることができる。とはいえ一般に、処理モジュール２１８は、それぞれの送信パラメータを判断するために、ＣＳＩの第１のセットとＣＳＩの第２のセットの両方を採用することができる。特に、ＣＳＩの第１のセットは、ＵＥに関連する報告セット内のワイヤレスチャネルの短期チャネル品質を推定するために利用され得、ＣＳＩの第２のセットは、報告セット外のワイヤレスチャネルをサポートする基地局のスケジューリング決定に基づいて、これらの後者のワイヤレスチャネルのチャネル品質を推定するために利用され得る。送信パラメータは、報告セット内のワイヤレスチャネルおよび報告セット外のワイヤレスチャネルのそれぞれのチャネル品質推定値に基づくことができる。
【００４８】
さらに、送信パラメータおよびワイヤレスチャネル品質推定／判断を判断するために様々な関数が採用され得る。一例として、処理モジュール２１８は、基地局２０２によってサービスされるＵＥと、そのＵＥに関連する報告セットの基地局との間のワイヤレスチャネルについてのチャネル利得を推定し、随意に、推定されたチャネル利得とＵＥによって前に報告された実際のチャネル利得との比を導出し、推定されたチャネル利得またはその比に少なくとも部分的に基づいてそれぞれの送信パラメータを判断する。別の例では、処理モジュール２１８は、基地局２０２と報告セット内の基地局とについての干渉緩和分析(interference mitigation analysis)を実行し、干渉緩和分析に少なくとも部分的に基づいてそれぞれの送信パラメータを判断する。したがって、たとえば、報告セットに関与するワイヤレスチャネル、および基地局２０２に関与するワイヤレスチャネルの間の干渉を緩和するように、送信パラメータに関連する送信重みが選択され得る。それぞれの送信パラメータを判断するためのアルゴリズムの１つの特定のセットは、米国仮特許出願第６１／２３６，００８号の付録Ａ、付録Ａの２０〜２６ページ、「MPE construction algorithm」において与えられ、米国仮特許出願６１／２３６，００８とそれの付録Ａの両方の全体が本開示に組み込まれる。
【００４９】
本開示の特定の態様では、ＣｏＭＰ管理装置２０４は、基地局２０２に関連する基地局のバックホール報告セットから、（たとえば、データ送信または緩和送信を送信するように割り当てられた）ＵＥへのＣｏＭＰ送信に参加する基地局の送信セットを選択するＣｏＭＰ選択モジュール２２０をさらに備えることができる。一例として、ＣｏＭＰ選択モジュール２２０は、基地局の報告セット内になく、しきい干渉レベルを下回るＣｏＭＰ送信の結果としての干渉を観測することが予測されるＵＥをサービスする、バックホール報告セットの基地局を、送信セットから除外するために、ＣＳＩの第２のセットを採用する。たとえば、ＣｏＭＰ送信によって影響を及ぼされるＵＥ（報告されたチャネルとともにスケジュールされたＵＥ）によって観測される最大Ｃ／Ｉ損失を最小限に抑える送信ポイントが、送信セットから除去され得る。さらに、ＣｏＭＰ選択モジュール２２０は、送信セットのための最大数の送信基地局を定めることができる。したがって、最大数に達した場合、バックホール報告セット内の基地局が送信セットからプルーニングされ得る。
【００５０】
それぞれの送信パラメータが処理モジュール２１８によって判断され、基地局の送信セットがＣｏＭＰ選択モジュール２２０によって定義されると、それぞれの送信パラメータならびにＣｏＭＰ送信のためのデータを送信セットのそれぞれの基地局に転送するために配信モジュール２１４が採用され得る。次いで、これらの基地局は、それぞれの送信パラメータに従ってＣｏＭＰ送信のそれぞれの送信を送る。ＵＥによって受信されると、本明細書でより詳細に説明するように（たとえば、以下の図５参照）、後続のＣｏＭＰ送信をさらに改善するために、実際のチャネル利得測定が行われ、基地局２０２に報告され得る。
【００５１】
上記に加えて、および上述のように、基地局２０２は、別の基地局（図示せず）に関連する少なくとも１つの第２のバックホール報告セットの一部として含まれ得る。概して、基地局２０２は、異なる基地局（その一部が基地局２０２によって制御されるバックホール報告セットのメンバーである）によって制御されるバックホール報告セットうちのセットのメンバーになる可能性がある。この場合、ＣｏＭＰ管理装置２０４は、バックホール報告セットのうちのセットのためのＣｏＭＰ送信を支援する追加の機能とともに構成され得る。
【００５２】
ＣｏＭＰ管理装置２０４が他のバックホール報告セットのＣｏＭＰ送信をサポートするように構成された場合、メモリ２０６は、ＣｏＭＰワイヤレス通信のための分散スケジューリングとバックホール報告とを行うように構成された命令を備えることができる。この実装形態では、アップリンクモジュール２１２は、基地局２０２など、ワイヤレスネットワークのノードによってサービスされるＵＥのセットのためのＣＳＩを取得する。配信モジュール２１４は、ＣＳＩのメトリックをワイヤレスネットワークの第２のノードにサブミットし、ノードと第２のノードとが、ＣｏＭＰワイヤレス通信に関係する（第２のノードによって制御される）基地局の少なくとも１つの半静的バックホール報告セット内に含まれる。さらに、受信モジュール２１０は、ＣｏＭＰワイヤレス通信の１つの信号についてのデータと送信係数とを取得し、ただし送信係数は、第２のノードによって計算される。ＣｏＭＰワイヤレス通信に参加するために、送信係数に従って１つの信号内でデータを送るために、基地局２０２のワイヤレス送信機（たとえば、以下の図６参照）が採用される。
【００５３】
様々な態様によれば、信号は、第２のノードによってサービスされるＵＥによって受信されることが意図されるデータ送信であるか、あるいはＣｏＭＰ通信に起因する１つまたは複数の他のＵＥへの干渉を低減するための緩和送信であるとすることができる。いずれの場合も、（緩和送信およびデータ送信のための送信係数に従ってビーム成形が別様に実装され得るが）１つの信号は同じデータを送信する。したがって、一例では、１つの信号は、第２のノードによってサービスされるＵＥにデータを搬送する複数のダウンリンク送信のうちの１つを備えるように構成される。別の例では、１つの信号は、ＣｏＭＰワイヤレス通信に起因する、ＵＥのセットのうちの１つへの干渉を緩和するように構成される。後者の場合、１つの信号は、ワイヤレスネットワークの第３のノードが、報告セット中にあるか、送信セット中にあるか、またはバックホール報告セット中にあるか、あるいは基地局のこれらのすべてのセット外にあるかにかかわらず、第３のノードによってサービスされるＵＥへの干渉を緩和するように構成され得る。
【００５４】
上記に加えて、様々な態様では、配信モジュール２１４は、ＣＳＩのメトリックを第２のノードに送信するためのノードを第２のノードに結合するバックホールリンクを採用するバックホールインターフェースを備える。代替実装形態では、配信モジュールは、無線でＣＳＩのメトリックを第２のノードに送るために、基地局２０２のワイヤレス送信機を採用する。
【００５５】
サービング基地局２０２によって開始されるＣｏＭＰ送信の場合と同様にして、ＵＥ選択モジュールは、バックホール報告セットの他の基地局のスケジューリング決定とは無関係に、ＵＥのセットのうちの１つをターゲットにする第２のＣｏＭＰワイヤレス通信についてＵＥのセットのうちの１つをスケジュールするモジュールとして構成され得る。この第２のＣｏＭＰワイヤレス通信は、（たとえば、単一のサブフレームにおいて）第２のノードによって確立されるＣｏＭＰワイヤレス通信と同時に実装され得る。したがって、ＣｏＭＰ管理装置２０４は、ＣｏＭＰ送信のための分散スケジューリングおよび送信パラメータ化を開始し、ならびに他の基地局の他のＣｏＭＰ送信のための分散スケジューリングおよび送信パラメータ化を可能にする動的エンティティであるように構成され得る。
【００５６】
図３に、本開示の態様によるＣｏＭＰワイヤレス通信を備える例示的なネットワーク環境３００の図を示す。ネットワーク環境３００によって示すように、パケットをＵＥに送信するための実際のビームおよび／または送信波は異なる基地局から到着する。本明細書で開示するＭＰＥフレームワークに基づいて、高い送信エネルギーを維持し、他のユーザへの干渉を低減するために、これらのビーム／波のための送信係数が生成され得る。特に、関連する送信係数が、次いで、基地局によって計算され、採用され得る。そのような送信係数はワイヤレス通信システム全体にわたって伝搬され得、各セルにおいて、送信されるべきパケットが識別され、スケジューリング／チャネル情報が共有され、その後データパケットの実際の送信が続く。
【００５７】
図示のように、例示的なネットワーク環境３００は、大きい破線楕円形内のセルを含むバックホール報告セットを備える。特に、これらのセルは、第１のセル、セル1３０１と、第２のセル、セル2と、第３のセル、セル3と、第４のセル、セル4と、第５のセル、セル5と、第６のセル、セル6と、第７のセル、セル7とを含む。例示的なネットワーク環境３００では、各セルは２つのＵＥをサービスするが、これは、説明のためにすぎず、実際の実装形態を反映するものではない。さらにネットワーク環境３００の例示的な実装形態によれば、各セルは、それぞれのセルとそれぞれのＵＥとを取り囲むそれぞれの小さい楕円形によって示される所与のサブフレーム中のデータ送信のための、それぞれの２つのＵＥのうちの１つを選択する。より大きいグレーの影つき楕円形は、それぞれのセルについてのサービング関係を示す。特定の例として、セル1３０１は、セル1３０１のサービング関係を示すより大きい点線楕円形と、セル1３０１によってサブフレーム中でスケジュールされるＵＥ1,1を示したより小さい点線楕円形とによって取り囲まれる。サービング関係およびスケジュールされた（１つまたは複数の）ＵＥの同様の構成が、他のセルの明暗影つき楕円形によって示される。
【００５８】
サブフレームについてそれぞれのＵＥをスケジュールするときに、セルは、３１０、３１１、３１２、３１３、３１４、３１５の太い破線矢印によって示される、スケジューリング決定をセル1３０１に反映するそれぞれのＣＳＩデータを送信する。このスケジューリングデータまたは関連するチャネル状態情報は、セル1３０１に、バックホール報告セットの各セルを結合するワイヤードバックホールネットワーク上で送信されるか、または完全にもしくは部分的に無線であるとすることができる（たとえば、ワイヤレスバックホール実装形態）。次いで、セル1３０１は、他のセルに関連する他のＵＥに対する干渉を緩和しながら、それの関連するＵＥに送信するための最も強いエネルギーを可能にする必要とされる送信係数を判断する。その後、および太い実線矢印３２０、３２１、３２２、３２４、３２３によって示されるように、セル1３０１は、バックホール報告セットのサブセットとすることができる（送信セルのセットのセル上で円形点線リングによって線図で示される）送信セルのセットのそれぞれのセルに、それぞれの送信係数を送信する。本明細書で説明する、送信セルのセットは、ＣｏＭＰ通信の全体的なＣ／Ｉを最小限に抑えるＣ／Ｉ判断に基づいて、バックホール報告セットのセルを除外することができる。
【００５９】
図４に、ワイヤレスセルのセットと、本開示の態様に関係するワイヤレスセルのセットのそれぞれの関連セットとを備える例示的なワイヤレス環境４００の図を示す。特に、それぞれの関連セットは、セル1と、セル1によってサービスされるＵＥ1に対してスケジュールされたＣｏＭＰ送信に関する。セル1と、セル4と、セル6と、セル7とを取り囲む破線楕円形は、最小しきい信号強度を上回る、本明細書で定義する、ＵＥ1によって測定されたそれぞれのパイロット（セル6,7,4とＵＥ1との間のそれぞれの破線矢印）を有するセルの測定セットを示す。さらに、セル1と、セル6と、セル7とを取り囲む点線楕円形は、ＵＥ1に関連するセルの報告セットを示す。セルの報告セットは、ＣｏＭＰ送信の一部としてＵＥ1への直接のデータ送信（セル1,6,7とＵＥ1との間のそれぞれの実線矢印）のために選択される。セル1とＵＥ1との間の破線パターン矢印によって示されるサービングパイロットが、セル1とＵＥ1との間のデータ送信（実線矢印）を伴う。
【００６０】
ＵＥ1へのデータ送信は、この例示的なワイヤレス環境４００では、セル6,7の近傍にある他のＵＥ（たとえば、ＵＥ2、ＵＥ3およびＵＥ4）に対して干渉を生じる。この干渉は、セル6とＵＥ2との間、およびセル7とＵＥ3ならびにセル7とＵＥ4との間の破線矢印によって示される。これらの干渉信号を緩和するために、ＣｏＭＰ送信は、これらのＵＥのためのセル2に割り当てられる緩和送信（セル2とＵＥ2との間の実線矢印）と、セル4に割り当てられる緩和送信（セル4とＵＥ4との間の実線矢印）と、セル3に割り当てられる緩和送信（セル3とＵＥ3との間の実線矢印）を含む。この場合、それぞれのサービングセルがそれぞれの緩和送信を送信するが、本開示はそのように限定されないことに留意されたい。さらに、セル3からＵＥ3への緩和送信も、ＵＥ5への干渉を引き起こす（セル3とＵＥ5との間の破線矢印）。ただし、この干渉は、しきい干渉レベルを下回ると推定され得、したがって、セル5とＵＥ5との間の緩和送信はＣｏＭＰ送信に含まれない。
【００６１】
図示のように、ＣｏＭＰ送信は、ＵＥ1へのデータ送信、ならびにデータ送信の結果としてのＵＥ2,3,4への干渉を低減するように設計された緩和送信の両方に関与する。したがって、ＣｏＭＰ送信は、データ送信と緩和送信の両方を備える。これらの送信のためのパラメータは、本明細書で説明するＭＰＥフレームワークに従ってセル1によって計算され、それぞれのセル2,3,4,6,7に配信される。したがって、ＣｏＭＰ送信に関連するセルの送信セットは、セル1,2,3,4,6,7を取り囲む実線楕円形によって示されるように、これらのセルすべてを備える。
【００６２】
図５に、本開示のさらに他の態様によるワイヤレス通信環境５００のブロック図を示す。ワイヤレス通信環境５００は、（両方とも、本明細書で定義する、報告セットおよび送信セット中に含まれる）サービングセル５０４と近隣セル５０６とを含む、複数のセルからのデータ送信のためにスケジュールされたＵＥ５０２との間の関係する送信とともに、ＣｏＭＰ送信を示す。さらに、ＵＥ５０２は、ＣｏＭＰ送信のためのチャネル推定およびチャネル品質判断を可能にするように構成されたＣＱＩ装置５０８を含むか、またはそれに結合される。
【００６３】
特に、ＣＱＩ装置５０８は、ＣｏＭＰ送信のための分散スケジューリングを可能にするための命令を記憶するためのメモリ５１０と、それらの命令を実装するモジュールを実行するためのデータプロセッサ５１２とを備えることができる。さらに、これらのモジュールは、近隣基地局（近隣セル５０６）のセットからの受信されたワイヤレス信号を測定し、ターゲットＣ／Ｉレベルに関係する最小しきい信号強度を上回る、受信されたワイヤレス信号のうちのワイヤレス信号のセットを識別する分析モジュール５１４を備えることができる。一態様では、サービングセル５０４からのしきい値報告５１６中で最小しきい信号強度が与えられ、他の態様では、ＵＥ５０２は、最小しきい信号強度がメモリ５１０に記憶されるように事前構成されるか、またはサービングセル５０４に関連するワイヤレスネットワークに最初に入るときにそのような信号強度を受信することができる。
【００６４】
さらに、ＣＱＩ装置５０８は、ワイヤレス信号のセットのためのチャネル状態情報（ＣＳＩ）を判断し、近隣基地局５０６のスケジューリング決定とは無関係に、ＣＳＩからチャネル品質情報（ＣＱＩ）を計算する計算モジュール５１８を備えることができる。ＵＥ５０２、およびサービングセル５０４によってサービスされる他のＵＥ（図示せず）のための送信スケジューリングを可能にするために、このＣＳＩまたはＣＱＩの報告５２０がサービングセル５０４に送信される。
【００６５】
本開示の様々な態様では、ＣＱＩ装置５０８は、ＣＱＩに基づくＣｏＭＰ送信のためのリソースロケーション割当てとＣＱＩフィードバックとを取得する受信機５２４をさらに備えることができ、リソースロケーション割当てまたはＣＱＩフィードバックは、近隣セル５０６のスケジューリング決定とは無関係に、サービングセル５０４によって判断される。少なくとも１つの例では、受信機５２４は、ＣＱＩに少なくとも部分的に基づくＣｏＭＰ送信のためのレート割当てをさらに取得し、レート割当ては、随意に、バックホール上でサービングセル５０４に報告される近隣セル５０６のスケジューリング決定にさらに基づく。
【００６６】
スケジューリングが完了すると、ＵＥ５０２およびＣＱＩ装置５０８は、ワイヤレスチャネルのセット上でＣｏＭＰ送信の複数のダウンリンク送信信号５２６Ａ、５２６Ｂを受信する。少なくとも１つの態様では、分析モジュール５１４は、ワイヤレスチャネルのセットのアグリゲート(aggregate)上のチャネル利得または残留干渉を測定するモジュールとして構成され得る。この態様では、分析モジュール５１４は、後続のダウンリンク送信のチャネル品質予測を可能にするために、チャネル利得または残留干渉に少なくとも部分的に基づくチャネル品質のメトリックをサービングセル５０４にサブミットする。たとえば、サービングセル５０４は、ＵＥ５０２によってサブミットされたＣＳＩ／ＣＱＩから導出されたチャネル品質のメトリックとチャネル利得推定値とを採用して、利得オフセットを導出することができる。利得オフセットは、後続のダウンリンク送信のためのＵＥ５０２によって観測される短期チャネル品質を予測するために採用され得る。
【００６７】
図６に、本開示の態様のために構成された基地局６０２を備える例示的なシステム６００のブロック図を示す。たとえば、基地局６０２は、基地局６０２によってサービスされる１つまたは複数のＵＥ６０４に割り当てられるＣｏＭＰ送信のための独立した分散スケジューリングおよび分散係数計算を実装するか、または別の基地局（図示せず）によって管理されるＣｏＭＰ送信のためのそのような分散係数計算を可能にするように構成され得る。少なくとも１つの例では、基地局６０２は、（１つまたは複数の）ＵＥ６０４によって観測されたワイヤレスチャネルに関係するＣＳＩの報告を受信し、それらのワイヤレスチャネルについてのチャネル品質を推定するように構成される。推定されたチャネル品質に基づいて、基地局６０２は、他の基地局のスケジューリング決定とは無関係に、１つまたは複数のＵＥ６０４に対して、リソースロケーションを割り振ること、またはＣＱＩフィードバックを与えることを含めて、データ送信をスケジュールするように構成され得る。別の態様によれば、基地局６０２は、バックホールリンク上の他の基地局のスケジューリング決定に基づいてＣＳＩ情報を受信し、それに基づいてＣｏＭＰ送信のためのそれぞれの送信パラメータを計算するように構成され得る。次いで、基地局６０２は、本明細書で説明する、ＣｏＭＰ送信に参加しているそれぞれの基地局に、それぞれの送信パラメータおよび送信データを転送することができる。
【００６８】
基地局６０２（たとえば、アクセスポイント、．．．）は、１つまたは複数のＡＴ６０４から１つまたは複数の受信アンテナ６０６を通してワイヤレス信号を取得する受信機６１０と、変調器６２６によって供給された符号化／被変調ワイヤレス信号を（１つまたは複数の）ＡＴ６０４に（１つまたは複数の）送信アンテナ６０６を通して送る送信機６３０とを備えることができる。受信機６１０は、受信アンテナ６０６から情報を取得し、さらに、（１つまたは複数の）ＡＴ６０４によって送信されたアップリンクデータを受信する信号受信者（図示せず）を備えることができる。さらに、受信機６１０は、受信情報を復調する復調器６１２に動作可能に結合される。復調されたシンボルはデータプロセッサ６１４によって分析される。データプロセッサ６１４はメモリ６１６に結合され、このメモリ６１６は、基地局６０２によって提供または実装される機能に関係する情報を記憶する。一例では、記憶された情報は、本明細書で説明する、基地局６０２と、（１つまたは複数の）ＵＥ６０４への干渉を引き起こす１つまたは複数の他の基地局との間のＩＣＩＣを開始し、実装するためのＩＣＩＣプロトコルを備えることができる。さらに、データプロセッサ６１４は、本明細書で説明する（たとえば、上記の図１、図２および図５参照）、ＣｏＭＰ送信のためのＭＰＥフレームワークを与えることに関係する機能を実装するＣｏＭＰ管理装置６１８を実行することができる。
【００６９】
図７に、本開示の１つまたは複数の追加の態様による、ＵＥ７０２を備える例示的なワイヤレス通信システム７００のブロック図を示す。ＵＥ７０２は、ワイヤレスネットワークの１つまたは複数の基地局７０４（たとえば、（１つまたは複数の）アクセスポイント）とワイヤレス通信するように構成され得る。そのような構成に基づいて、ＵＥ７０２は、１つまたは複数の順方向リンクチャネル上では（１つまたは複数の）基地局７０４からワイヤレス信号を受信し、１つまたは複数の逆方向リンクチャネル上ではワイヤレス信号で応答することができる。さらに、ＵＥ７０２は、ＣｏＭＰフレームワークにおいて分散および独立送信スケジューリングを可能にするためのメモリ７１４に記憶された命令と、本明細書で説明する（たとえば、上記の図６参照）、これらの命令を実装するＣＱＩ装置７１６を実行するデータプロセッサ７１２とを備えることができる。特に、ＣＱＩ装置７１６は、ＵＥ７０２によって観測されたワイヤレスチャネルのためのチャネル状態情報を測定し、これらのワイヤレスチャネルのためのチャネル品質情報を計算することができる。チャネル状態情報またはチャネル品質情報は、ＵＥ７０２に関連するサービング基地局に報告される。少なくとも１つの態様では、ＵＥ７０２はさらに、ワイヤレスチャネルのアグリゲートに基づいて利得オフセットを報告または計算し、本明細書で説明する、ＵＥ７０２に関与する改善されたＣｏＭＰ送信を可能にするために、利得オフセットをサービング基地局に報告することができる。
【００７０】
ＵＥ７０２は、（たとえば、１つまたは複数の入出力インターフェースを備える）信号を受信する少なくとも１つのアンテナ７０６と、受信した信号に対して典型的なアクション（たとえば、フィルタ処理、増幅、ダウンコンバートなど）を実行する（１つまたは複数の）受信機７０８とを含む。一般に、アンテナ７０６および送信機７２２（トランシーバと総称される）は、（１つまたは複数の）基地局７０４とのワイヤレスデータ交換を可能にするように構成され得る。
【００７１】
アンテナ７０６および（１つまたは複数の）受信機７０８はまた、受信シンボルを復調し、復調されたシンボルを評価のために（１つまたは複数の）データプロセッサ７１２に供給することができる復調器７１０に結合され得る。（１つまたは複数の）データプロセッサ７１２は、ＵＥ７０２の１つまたは複数の構成要素（アンテナ７０６、受信機７０８、復調器７１０、メモリ７１４、制限付きアクセス装置７１６、変調器７２８、送信機７３０）を制御および／または参照することができることを諒解されたい。さらに、（１つまたは複数の）データプロセッサ７１２は、ＵＥ７０２の機能を実行することに関係する情報または制御を備える１つまたは複数のモジュール、アプリケーション、エンジンなどを実行することができる。
【００７２】
さらに、ＵＥ７０２のメモリ７１４は（１つまたは複数の）データプロセッサ７１２に動作可能に結合される。メモリ７１４は、送信、受信などすべきデータと、リモートデバイス（７０４）とのワイヤレス通信を行うのに適した命令とを記憶することができる。さらに、メモリ７１４は、（１つまたは複数の）ＢＳ７０４への通常のネットワークアクセス要求を実行するために採用されるアクセスプロトコル７１４Ａを備えることができる。さらに、メモリ７１４は、通常のネットワークアクセス要求が（１つまたは複数の）ＢＳ７０４によって拒否された場合、ネットワーク取得のための限定されたアクセスを取得するために、修正されたアクセスプロトコル７１４Ｂを備えることができる。
【００７３】
上述のシステムについては、いくつかの構成要素、モジュールおよび／または通信インターフェースの間の相互作用に関して説明した。そのようなシステムおよび構成要素／モジュール／インターフェースは、本明細書で指定された構成要素／モジュールもしくはサブモジュール、指定された構成要素／モジュールもしくはサブモジュールの一部、および／または追加のモジュールを含むことができることを諒解されたい。たとえば、システムは、ＣｏＭＰ管理装置２０４を備えるサービングセル１０２、ＣＱＩ装置５０８に結合されたＵＥ５０２、あるいはこれらまたは他のエンティティの異なる組合せを含むことができる。また、サブモジュールは、親モジュール内に含まれるのではなく、他のモジュールに通信可能に結合されたモジュールとして実装され得る。さらに、１つまたは複数のモジュールを組み合わせて、集約機能を提供する単一のモジュールにすることができることに留意されたい。たとえば、ＣｏＭＰ通信のための送信セット定義すること、およびＣｏＭＰ通信のための送信係数を判断することを可能にするために、単一のモジュールとして、処理モジュール２１８は、ＣｏＭＰ選択モジュール２２０を含むことができ、逆もまた同じである。モジュールはまた、特に本明細書に記載されていないが当業者に知られている１つまたは複数の他のモジュールと相互作用することができる。
【００７４】
さらに、諒解されるように、開示した上記のシステムおよび下記の方法の様々な部分は、人工知能、または知識ベースもしくはルールベースの構成要素、下位構成要素、プロセス、手段、方法、または機構（たとえば、サポートベクターマシン、ニューラルネットワーク、エキスパートシステム、ベイズの信念ネットワーク、ファジー論理、データ融合エンジン、クラシファイヤなど）を含むか、またはそれらからなる。そのような構成要素は、特に、および本明細書ですでに説明したものに加えて、システムおよび方法の部分をより適応的ならびに効率的で知的にするために、そのような構成要素によって実行されるいくつかの機構またはプロセスを自動化することができる。
【００７５】
上記で説明した例示的なシステムに鑑みて、開示する主題に従って実施され得る方法は、図８〜図１１のフローチャートを参照すればより良く諒解されよう。説明を簡単にするために、方法を一連のブロックとして図示および説明したが、いくつかのブロックは本明細書で図示および説明したブロックとは異なる順序で、および／または他のブロックと同時に、行うことができるので、主張する主題はブロックの順序によって限定されないことを理解および諒解されたい。さらに、以下で説明する方法を実施するために、図示されたすべてのブロックが必要とされるわけではない。さらに、以下および本明細書の全体にわたって開示する方法は、そのような方法をコンピュータに移送および転送することを可能にする製造品に記憶することが可能であることをさらに諒解されたい。使用する製造品という用語は、任意のコンピュータ可読デバイス、キャリアに関連するデバイス、または記憶媒体からアクセス可能なコンピュータプログラムを包含するものとする。
【００７６】
図８に、本開示の態様によるＣｏＭＰ通信のための改善された利得を与えるための例示的な方法８００のフローチャートを示す。８０２において、方法８００は、ワイヤレスネットワークのノードによってサービスされるＵＥのセットからＣＳＩの第１のセットを受信することを備えることができる。さらに、８０４において、方法８００は、ＣＳＩのセットに基づいてＵＥのセットのうちのＵＥのためのＣｏＭＰ送信をスケジュールすることを備えることができる。８０６において、方法８００は、ノードにおいて、ワイヤレスネットワークのそれぞれのノード（ノードの送信セット）によって送信されるべきＣｏＭＰ送信の複数の信号のための送信係数を計算することを備えることができる。
【００７７】
様々な実装形態によれば、方法８００は、上記で説明したものに関連して追加の態様をさらに備えることができる。たとえば、ＣｏＭＰ送信をスケジュールすることは、一例では、もっぱら、ノードを備えるセル内で測定されたデータを採用することをさらに備える。したがって、ＣＳＩは、ＵＥと、ＵＥの報告セット内にあるワイヤレスネットワークのノードとの間のチャネル状態を反映する。より詳細には、報告セットは、ＵＥによって観測された最小信号強度しきい値を上回るそれぞれの信号強度を有するノードを備えるノードのセットとすることができる。１つの代替態様では、報告セット内のノードの数は、ノードによって選択された所定の最大数に上限を定められる。
【００７８】
さらなる態様によれば、方法８００は、ノードによって制御されるバックホール報告セットからＣＳＩの第２のセットを受信することを備えることができる。このバックホール報告セットは、ＣｏＭＰ送信の複数の信号からの干渉によって影響を及ぼされるそれぞれの近隣ＵＥ(neighboring user equipment)をサービスするワイヤレスネットワークのノードを備え、ノードの少なくとも送信セットを含む。これらの別々の信号は、ＵＥに到着するように構成されたデータ送信と、近隣ＵＥの１つまたは複数への干渉を緩和するように構成されたデータ送信とを備えることができることを諒解されたい。さらにこれらの態様によれば、方法８００は、バックホール報告セットの中からノードの送信セットを選択するために、ＣＳＩの第２のセットまたはＣＳＩのセットを採用することと、随意に、所定の最大数にノードの送信セットの上限を定めることとを備えることができる。別の例では、送信係数を計算することは、ＭＰＥ係数アルゴリズムを採用することをさらに備える。ＭＰＥ係数アルゴリズムは、バックホール報告セット内のＵＥのためのチャネル品質を推定または判断するために、様々な関数を採用することができる。一例では、ＭＰＥ係数アルゴリズムは、ＣｏＭＰ送信のための干渉緩和を達成するために、ＵＥの報告セット内のノードのための送信係数の計算を実行することを備えることができる。別の例では、ＭＰＥ係数アルゴリズムは、報告セット外のワイヤレスネットワークのノードに起因する、ＵＥへの残留干渉を判断することと、残留干渉に少なくとも部分的に基づいて送信係数を計算することとを備えることができる。本明細書で説明する、または当技術分野で知られているこれらまたは他の機構の組合せも採用され得る。しかしながら、少なくとも１つの態様では、ＭＰＥ係数アルゴリズムは、単一のバックホールホップにおいてバックホール報告セットから取得される情報を用いて送信係数を計算し、バックホールオーバーヘッドを最小限に抑えることができる。
【００７９】
本開示の１つの特定の態様によれば、送信係数を計算することは、ノードの送信セットのためのチャネル品質利得を予測するためにＣＳＩのセットを採用することをさらに備える。さらに、計算することは、予測されたチャネル品質利得とＵＥに関与する以前のＭＰ送信から報告された実際のチャネル利得との比を判断することと、予測されたチャネル品質と実際のチャネル利得との比から利得オフセットを導出することとを備える。その上、計算することは、少なくとも部分的に、ＵＥのためのＣｏＭＰをスケジュールするための、またはリンク適応機能のためのチャネル品質を予測するために利得オフセットを採用することを備える。これらのリンク適応機能は、たとえば、ＵＥ、またはノードによってサービスされる他のＵＥのための帯域幅割当て、データレート割当て、ＭＣＳ割当てなどを含むことができる。
【００８０】
本開示のさらに別の態様では、方法８００は、ＣｏＭＰ送信に備えて、それぞれのノードへのＣｏＭＰ送信のための複数の信号およびデータパケットのためのそれぞれの送信係数を送信することをさらに備えることができる。さらに、方法８００は、ＣｏＭＰ送信を実装することの一部として、関連する信号係数に従って複数の信号のうちの１つを送信することを備えることができる。残留干渉レベルに少なくとも部分的に基づいてＣＳＩから導出されたチャネル品質推定値を含む、ＣＳＩのセットに基づいてＵＥをスケジュールすることによって、方法８００は、スケジューリングのためのセル間協調を緩和することができる。これにより、スケジューリングのためのバックホール利用が低減され遅延が低減されることになる。その上、基地局のバックホール報告セットのスケジューリング決定を反映するＣＳＩの第２のセットを受信するために、ただ１つのバックホールホップを採用することによって、ＣｏＭＰ送信のためのバックホール報告セット全体にわたる短期チャネル品質を予測することができる。別のバックホールホップはそれぞれの送信係数を配信することができ、ＣｏＭＰ送信のための最高２つのバックホールホップを生じる。これは、バックホールオーバーヘッドを低減し、（たとえば、短期チャネル品質から判断された緩和送信を介して）ネットワークへの干渉の範囲を制限することによって、従来のＣｏＭＰネットワーク全体にわたる展開に関連する大きな課題を回避する、ネットワーク全体にわたるＣｏＭＰ実装を可能にすることができる。
【００８１】
図９に、さらなる開示する態様による、ＣｏＭＰワイヤレス通信を改善するためのＭＰＥフレームワークを与えるための例示的な方法９００のフローチャートを示す。９０２において、方法９００は、最小信号強度しきい値をＵＥのセットに転送することを備えることができる。この最小信号強度しきい値は、ターゲットＣ／Ｉレベルに基づくことができ、基地局の測定セット、および少なくとも部分的にＵＥのセットのそれぞれのＵＥのための基地局の報告セットを定義するために使用され得る。
【００８２】
９０４において、方法９００は、ＵＥのセットのそれぞれのＵＥからＣＳＩ／ＣＱＩの報告を受信することを備えることができる。方法９００は、９０６において、ＵＥのセットのそれぞれのＵＥのためのＣＳＩ／ＣＱＩ報告から残留干渉を導出することと、９０８において、ＣＳＩ／ＣＱＩ報告からＵＥのセットのＵＥのためのチャネル利得オフセットを導出することとを備えることができる。９１０において、方法９００は、それぞれのＵＥに関連するノードのそれぞれの報告セットのためのチャネル品質を計算することを備えることができる。９１２において、チャネル品質に基づいて、方法９００は、ＣｏＭＰ送信のためのＵＥのセットのうちの１つまたは複数を選択することができる。
【００８３】
９１４において、方法９００は、バックホール報告セットのそれぞれの基地局のそれぞれのスケジューリング決定に基づく基地局のバックホール報告セットからＣＳＩを受信することを備えることができる。さらに、９１６において、方法９００は、バックホール報告セットのＵＥのためのチャネル品質を判断することを備えることができる。９１８において、方法９００は、ＣｏＭＰ送信のための基地局の送信セットを選択することを備え、９２０において、バックホール報告セットのチャネル品質に基づいて、ＣｏＭＰ送信の個々の送信のためのそれぞれの送信係数を計算することができる。９２２において、方法９００は、ＣｏＭＰ送信およびそれぞれの送信構成要素のためのデータを、送信セットのそれぞれの基地局に転送することを備えることができる。９２４において、方法９００は、データストリームについて判断された送信係数に従って、ＣｏＭＰのためのデータストリームを送信することを備えることができる。
【００８４】
図１０に、追加の開示する態様による、ＣｏＭＰワイヤレス通信のためのＭＰＥフレームワークを可能にするための例示的な方法１０００のフローチャートを示す。１００２において、方法１０００は、ワイヤレスネットワークのノードによってサービスされるＵＥのセットのためのＣＳＩを取得することを備えることができる。１００４において、方法１０００は、ＣＳＩのメトリックをワイヤレスネットワークの第２のノードにサブミットすることを備えることができ、ノードと第２のノードとが、ＣｏＭＰワイヤレス通信に関係する基地局の少なくとも１つの半静的バックホール報告セット内に含まれる。特に、少なくとも１つの半静的バックホール報告セットは、第２のノードによって制御される。しかし、様々な態様では、少なくとも１つの第２の半静的バックホール報告セットが、同様にノードに関連する。これらの態様によれば、方法１０００は、バックホール報告セットまたは第２のバックホール報告セットの他の基地局のスケジューリング決定とは無関係に、第２のＣｏＭＰワイヤレス通信のためのＵＥのセットのうちの１つを選択することをさらに備えることができる。
【００８５】
１００６において、方法１０００は、ＣｏＭＰワイヤレス通信の１つの信号についてのデータと送信係数とを受信することを備えることができ、送信係数は第２のノードによって計算される。特定の態様によれば、方法１０００は、ＣｏＭＰワイヤレス通信のセグメントを実装するために、送信係数に従って１つの信号内でデータを送信することをさらに備えることができる。一例では、１つの信号は、第２のノードによってサービスされるＵＥにデータを搬送する複数のダウンリンク送信のうちの１つを備えるように構成される。代替事例では、１つの信号は、ＣｏＭＰワイヤレス通信に起因する、ＵＥのセットのうちの１つへの干渉を緩和するように構成される。ＵＥのセットのうちのこの１つは、ノードによってサービスされるＵＥ、第２のノードによってサービスされるＵＥ、またはワイヤレスネットワークの第３のノードによってサービスされるＵＥであるとすることができる。
【００８６】
本開示の１つまたは複数の態様によれば、ＣＳＩを送信することは、様々な方法で実装され得る。たとえば、ＣＳＩのメトリックを送信することは、一実装形態では、ノードと第２のノードとを結合するバックホールリンクを介してメトリックを送信することをさらに備える。別の実装形態では、送信することは代わりに、少なくとも部分的にＵＥのセットのうちの１つによって、または第２のノードが報告セット中にある別のＵＥによって、無線でＣＳＩのメトリックを第２のノードに送信することを備える。
【００８７】
図１１に、またさらなる態様による、ＣｏＭＰワイヤレス通信を改善するための例示的な方法１１００のフローチャートを示す。１１０２において、方法１１００は、近隣基地局のセットからの受信されたワイヤレス信号を測定することを備えることができる。１１０４において、方法１１００は、ターゲットＣ／Ｉレベルに関係する最小しきい信号強度を上回る、受信されたワイヤレス信号のうちのワイヤレス信号のセットを識別することを備えることができる。１１０６において、方法１１００は、ワイヤレスチャネルのセットのためのＣＳＩを判断することと、１１０８において、近隣基地局のセットのスケジューリング決定とは無関係に、ＣＳＩからＣＱＩを計算することとを備えることができる。
【００８８】
１１１０において、方法１１００は、ＣＱＩに基づくＣｏＭＰ送信のためのリソースロケーション割当てとＣＱＩフィードバックとを受信することをさらに備えることができ、リソースロケーション割当てまたはＣＱＩフィードバックは、近隣基地局のセットのスケジューリング決定とは無関係に判断される。さらに、１１１２において、方法１１００は、ＣＱＩに少なくとも部分的に基づくＣｏＭＰ送信のためのレート割当てを受信することを備えることができ、レート割当ては、随意に、近隣基地局のセットのスケジューリング決定にさらに基づく。１１１４において、方法１１００は、ワイヤレスチャネルのセット上でＣｏＭＰ送信の複数のダウンリンク送信信号を受信することを備えることができる。さらに、１１１６において、方法１１００は、複数のダウンリンク送信のアグリゲートのためのチャネル利得または残留干渉を測定することを備えることができる。１１１８において、方法１１００は、後続のダウンリンク送信のチャネル品質予測を可能にするために、チャネル利得または残留干渉に少なくとも部分的に基づくチャネル品質のメトリックをサービング基地局にサブミットすることを備えることができる。
【００８９】
図１２、図１３および図１４に、本開示の態様によるワイヤレス通信のための改善された肯定応答および再送信プロトコルを実装するためのそれぞれの例示的な装置１２００、装置１３００、装置１４００を示す。たとえば、装置１２００、１３００、１４００は、少なくとも部分的に、ワイヤレス通信ネットワーク内に、および／またはノード、基地局、アクセスポイント、ユーザ端末、モバイルインターフェースカードに結合されたパーソナルコンピュータなどのワイヤレス受信機内に常駐することができる。装置１２００、１３００、１４００は、機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。
【００９０】
装置１２００は、ＣｏＭＰ通信のためのＭＰＥフレームワークを採用することを含む、装置１２００の機能を実行するように構成されたモジュールまたは命令を記憶するためのメモリ１２０２と、これらの機能を実装するモジュールを実行するためのデータプロセッサ１２１０とを備えることができる。装置１２００は、ワイヤレスネットワークのノードによってサービスされるＵＥのセットからＣＳＩの第１のセットを受信するためのモジュール１２０４をさらに備えることができる。装置１２００は、ＣＳＩのセットに基づいてＵＥのセットのうちのＵＥのためのＣｏＭＰ送信をスケジュールするためのモジュール１２０６をさらに備えることができる。その上、装置１２００は、ノードにおいて、ワイヤレスネットワークのそれぞれのノードによって送信されるべきＣｏＭＰ送信の複数の信号のための送信係数を計算するためのモジュール１２０８を備えることができる。
【００９１】
装置１３００は、ＣｏＭＰ送信のための分散係数計算を可能にすることを含む、装置１３００の機能を実行するように構成されたモジュールまたは命令を記憶するためのメモリ１３０２と、これらの機能を実装するモジュールを実行するためのデータプロセッサ１３１０とを備えることができる。装置１３００は、ワイヤレスネットワークのノードによってサービスされるＵＥのセットのためのＣＳＩを取得するためのモジュール１３０４をさらに備えることができる。さらに、装置１３００は、ＣＳＩのメトリックをワイヤレスネットワークの第２のノードにサブミットするためのモジュール１３０６を備えることができ、ノードと第２のノードとは、ＣｏＭＰワイヤレス通信に関係する基地局の少なくとも１つの半静的バックホール報告セット内に含まれる。さらに、装置１３００はまた、ＣｏＭＰワイヤレス通信の１つの信号についてのデータと送信係数とを受信するためのモジュール１３０８を備えることができ、送信係数は第２のノードによって計算される。
【００９２】
装置１４００は、特定の開示する態様による、ＣｏＭＰワイヤレス通信のための分散および独立スケジューリングを可能にするように構成された命令またはモジュールを記憶するためのメモリ１４０２と、モジュールまたは命令を実行するためのデータプロセッサ１４１２とを備える。図示のように、装置１４００は、近隣基地局のセットからの受信されたワイヤレス信号を測定するためのモジュール１４０４を備えることができる。さらに、装置１４００は、ターゲットキャリア対残留干渉レベルに関係する最小しきい信号強度を上回る、受信されたワイヤレス信号のうちのワイヤレス信号のセットを識別するためのモジュール１４０６と、ワイヤレス信号のセットのためのＣＳＩを判断するためのモジュール１４０８とを備えることができる。その上、少なくとも１つのさらなる態様では、装置１４００は、近隣基地局のセットのスケジューリング決定とは無関係に、ＣＳＩからＣＱＩを計算するためのモジュール１４１０を備えることができる。
【００９３】
図１５に、本明細書で開示するいくつかの態様による、ワイヤレス通信を可能にすることができる例示的なシステム１５００のブロック図を示す。ＤＬ上で、アクセスポイント１５０５において、送信（ＴＸ）データプロセッサ１５１０は、トラフィックデータを受信し、フォーマットし、コーディングし、インターリーブし、変調し（またはシンボルマッピングし）、変調シンボル（「データシンボル」）を供給する。シンボル変調器１５１５は、データシンボルおよびパイロットシンボルを受信し、処理し、シンボルのストリームを供給する。シンボル変調器１５１５は、データおよびパイロットシンボルを多重化し、それらを送信機ユニット（ＴＭＴＲ）１５２０に供給する。各送信シンボルは、データシンボル、パイロットシンボル、または信号値０とすることができる。パイロットシンボルは各シンボル期間中に連続的に送信され得る。パイロットシンボルは、周波数分割多重（ＦＤＭ）、直交周波数分割多重（ＯＦＤＭ）、時分割多重（ＴＤＭ）、符号分割多重（ＣＤＭ）、あるいはそれらまたは同様の変調および／または送信技法の好適な組合せとすることができる。
【００９４】
ＴＭＴＲ１５２０は、シンボルのストリームを受信し、１つまたは複数のアナログ信号に変換し、さらにアナログ信号を調整（たとえば、増幅、フィルタ処理、および周波数アップコンバート）して、ワイヤレスチャネル上での送信に好適なＤＬ信号を生成する。次いで、ＤＬ信号はアンテナ１５２５を介して端末に送信される。端末１５３０において、アンテナ１５３５は、ＤＬ信号を受信し、受信信号を受信機ユニット（ＲＣＶＲ）１５４０に供給する。受信機ユニット１５４０は、受信信号を調整（たとえば、フィルタ処理、増幅、周波数ダウンコンバート）し、調整された信号をデジタル化して、サンプルを得る。シンボル復調器１５４５は、受信したパイロットシンボルを復調し、チャネル推定のためにプロセッサ１５５０に供給する。シンボル復調器１５４５は、さらに、プロセッサ１５５０からＤＬに関する周波数応答推定値を受信し、受信データシンボルに対してデータ復調を実行して、（送信データシンボルの推定値である）データシンボル推定値を取得し、データシンボル推定値をＲＸデータプロセッサ１５５５に供給し、ＲＸデータプロセッサ１５５５は、データシンボル推定値を復調（すなわち、シンボルデマッピング）し、デインターリーブし、復号して、送信トラフィックデータを復元する。シンボル復調器１５４５およびＲＸデータプロセッサ１５５５による処理は、アクセスポイント１５０５における、それぞれ、シンボル変調器１５１５およびＴＸデータプロセッサ１５１０による処理を補足するものである。
【００９５】
ＵＬ上で、ＴＸデータプロセッサ１５６０がトラフィックデータを処理し、データシンボルを供給する。シンボル変調器１５６５は、データシンボルを受信し、パイロットシンボルと多重化し、変調を実行し、シンボルのストリームを供給する。次いで、送信機ユニット１５７０は、シンボルのストリームを受信し、処理して、ＵＬ信号を生成し、そのＵＬ信号はアンテナ１５３５によってアクセスポイント１５０５に送信される。詳細には、ＵＬ信号は、ＳＣ−ＦＤＭＡ要件に従うことができ、本明細書で説明する周波数ホッピング機構を含むことができる。
【００９６】
アクセスポイント１５０５において、端末１５３０からのＵＬ信号がアンテナ１５２５によって受信され、受信機ユニット１５７５によって処理されて、サンプルが取得される。次いで、シンボル復調器１５８０が、それらのサンプルを処理し、ＵＬに関する受信パイロットシンボルおよびデータシンボル推定値を供給する。ＲＸデータプロセッサ１５８５は、データシンボル推定値を処理して、端末１５３０によって送信されたトラフィックデータを回復する。プロセッサ１５９０は、ＵＬ上で送信している各アクティブ端末についてチャネル推定を実行する。複数の端末が、パイロットサブバンドのそれらのそれぞれの割り当てられたセット上でパイロットをＵＬ上で同時に送信することができ、パイロットサブバンドセットはインターレースされ得る。
【００９７】
プロセッサ１５９０および１５５０は、それぞれアクセスポイント１５０５および端末１５３０上の操作を指示（たとえば制御、調整、管理など）する。それぞれのプロセッサ１５９０および１５５０は、プログラムコードおよびデータを記憶するメモリユニット（図示せず）に結合され得る。プロセッサ１５９０および１５５０はまた、それぞれＵＬおよびＤＬについての周波数および時間ベースのインパルス応答推定値を導出するための計算を実行することができる。
【００９８】
多元接続システム（たとえば、ＳＣ−ＦＤＭＡ、ＦＤＭＡ、ＯＦＤＭＡ、ＣＤＭＡ、ＴＤＭＡなど）の場合、複数の端末がＵＬ上で同時に送信することができる。そのようなシステムの場合、パイロットサブバンドを異なる端末の間で共有することができる。各端末のためのパイロットサブバンドが（場合によっては、帯域エッジを除いて）動作帯域全体にわたる場合、チャネル推定技術を使用することができる。そのようなパイロットサブバンド構造は、端末ごとに周波数ダイバーシティを得るために望ましいであろう。
【００９９】
本明細書で説明する技法は様々な手段によって実装され得る。たとえば、これらの技法はハードウェア、ソフトウェア、またはそれらの組合せで実装され得る。ハードウェア実装の場合、それはデジタル、アナログ、デジタルとアナログの両方とすることができ、チャネル推定に使用される処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、あるいはそれらの組合せの中で実装され得る。ソフトウェアでは、本明細書で説明する機能を実行するモジュール（たとえば、プロシージャ、関数など）によって実装することができる。ソフトウェアコードは、メモリユニットに記憶され、プロセッサ１５９０および１５５０によって実行され得る。
【０１００】
図１６に、たとえば１つまたは複数の態様とともに利用され得る、複数の基地局（ＢＳ）１６１０（たとえば、ワイヤレスアクセスポイント、ワイヤレス通信デバイス）および複数の端末１６２０（たとえば、ＡＴ）をもつワイヤレス通信システム１６００を示す。ＢＳ１６１０は、一般に、端末と通信する固定局であり、アクセスポイント、ノードＢ、または何らかの他の用語で呼ばれることもある。各ＢＳ１６１０は、図１６において１６０２ａ、１６０２ｂ、および１６０２ｃと標示された３つの地理的領域として示された、特定の地理的領域またはカバレージエリアの通信カバレージを提供する。「セル」という用語は、その用語が使用されるコンテキストに応じてＢＳまたはそのカバレージエリアを指すことができる。システム容量を改善するために、ＢＳの地理的エリア／カバレージエリアは、複数のより小さいエリア（たとえば、図１６のセル１６０２ａによる、３つの、より小さいエリア）１６０４ａ、１６０４ｂ、および１６０４ｃに分割され得る。各より小さいエリア（１６０４ａ、１６０４ｂ、１６０４ｃ）は、それぞれの基地トランシーバサブシステム（ＢＴＳ）によってサービスされ得る。「セクタ」という用語は、その用語が使用されるコンテキストに応じてＢＴＳまたはそのカバレージエリアを指すことができる。セクタ化されたセルの場合、そのセルの全セクタ用のＢＴＳは、典型的には、そのセルの基地局内にコロケートされる。本明細書で説明する送信技法は、セクタ化されたセルをもつシステムならびにセクタ化されないセルをもつシステムに使用され得る。簡単のために、本明細書では、別段の規定がない限り、「基地局」という用語は、セクタにサービスする固定局、ならびにセルにサービスする固定局に対して総称的に使用する。
【０１０１】
端末１６２０は、一般に、システム全体にわたって分散され、各端末１６２０は固定でも移動でもよい。端末１６２０は、移動局、ユーザ機器、ユーザデバイス、ワイヤレス通信装置、アクセス端末、ユーザ端末または何らかの他の用語で呼ばれることもある。端末１６２０は、ワイヤレスデバイス、セルラー電話、携帯情報端末（ＰＤＡ）、ワイヤレスモデムカードなどとすることができる。各端末１６２０は、任意の所与の瞬間に、ダウンリンク（たとえば、ＦＬ）およびアップリンク（たとえば、ＲＬ）上の０、１つ、または複数のＢＳ１６１０と通信することができる。ダウンリンクは、基地局から端末への通信リンクを指し、アップリンクは、端末から基地局への通信リンクを指す。
【０１０２】
集中型アーキテクチャの場合、システムコントローラ１６３０がＢＳ１６１０に結合し、ＢＳ１６１０のために調整および制御を行う。分散アーキテクチャの場合、ＢＳ１６１０は、必要に応じて（たとえば、ＢＳ１６１０を通信可能に結合するワイヤードまたはワイヤレスバックホールネットワークによって）互いに通信することができる。順方向リンク上のデータ送信は、しばしば１つのアクセスポイントから１つのアクセス端末に、順方向リンクまたは通信システムによってサポートされ得る最大データレートで、またはその近くで行われる。順方向リンクの追加のチャネル（たとえば、制御チャネル）は、複数のアクセスポイントから１つのアクセス端末に送信され得る。逆方向リンクのデータ通信は、１つのアクセス端末から１つまたは複数のアクセスポイントに行われることがある。
【０１０３】
図１７は、様々な態様による、計画または半計画ワイヤレス通信環境１７００の図である。ワイヤレス通信環境１７００は、互いに、および／または１つまたは複数のモバイルデバイス１７０４に対して、ワイヤレス通信信号の受信、送信、再送などを行う１つまたは複数のセルおよび／またはセクタ内に１つまたは複数のＢＳ１７０２を備えることができる。図示のように、各ＢＳ１７０２は、１７０６ａ、１７０６ｂ、１７０６ｃおよび１７０６ｄと標示された４つの地理的領域として示される特定の地理的領域の通信カバレージを提供することができる。各ＢＳ１７０２は、当業者なら諒解するように、送信機チェーンと受信機チェーンとを備えることができ、送信機チェーンおよび受信機チェーンの各々は、信号の送信および受信に関連する複数の構成要素（たとえば、プロセッサ、変調器、マルチプレクサ、復調器、デマルチプレクサ、アンテナなど、上記の図１２参照）を備えることができる。モバイルデバイス１７０４は、たとえば、セルラー電話、スマートフォン、ラップトップ、ハンドヘルド通信デバイス、ハンドヘルドコンピューティングデバイス、衛星ラジオ、全地球測位システム、ＰＤＡ、またはワイヤレス通信環境１７００上で通信するための任意の他の好適なデバイスとすることができる。ワイヤレス通信環境１７００は、本明細書に記載のように、ワイヤレス通信におけるマルチノード中継割当ておよびセル分割効果を可能にするために、本明細書で説明する様々な態様に関連して採用され得る。
【０１０４】
本開示において使用する、「構成要素」、「システム」、「モジュール」などの用語は、コンピュータ関連のエンティティ、すなわち、ハードウェア、ソフトウェア、実行中のソフトウェア、ファームウェア、ミドルウェア、マイクロコードのいずれか、および／またはそれらの任意の組合せを指すものとする。たとえば、モジュールは、プロセッサ上で動作するプロセス、プロセッサ、オブジェクト、実行可能ファイル、実行スレッド、プログラム、デバイス、および／またはコンピュータとすることができるが、これらに限定されない。１つまたは複数のモジュールがプロセスまたは実行スレッド内に常駐することができ、モジュールは、１つの電子デバイス上に配置すること、または２つ以上の電子デバイス間に分散させることが可能である。さらに、これらのモジュールは、様々なデータ構造を記憶している様々なコンピュータ可読媒体から実行することができる。これらのモジュールは、たとえば、１つまたは複数のデータパケット（たとえば、ローカルシステム、分散システム内の別の構成要素と対話する、またはインターネットなどのネットワーク上で信号を介して他のシステムと対話する１つの構成要素からのデータ）を有する信号に従ってローカルプロセスまたはリモートプロセスを介して通信することができる。さらに、当業者なら諒解するように、本明細書で説明するシステムの構成要素またはモジュールは、それに関して説明する様々な態様、目的、利点などを達成することができるように追加の構成要素／モジュール／システムによって再構成または補完でき、所与の図に記載の正確な構成に限定されない。
【０１０５】
さらに、本明細書では、様々な態様について、ＵＥに関して説明する。ＵＥは、システム、加入者ユニット、加入者局、移動局、モバイル、モバイル通信デバイス、モバイルデバイス、リモート局、リモート端末、ＡＴ、ユーザエージェント（ＵＡ）、ユーザデバイス、またはユーザ端末（ＵＥ）と呼ばれることもある。加入者局は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、または処理デバイスとのワイヤレス通信を可能にするワイヤレスモデムもしくは同様の機構に接続された他の処理デバイスとすることができる。
【０１０６】
１つまたは複数の例示的な実施形態では、説明する機能は、ハードウェア、ソフトウェア、ファームウェア、ミドルウェア、マイクロコード、またはそれらの好適な組合せで実装することができる。ソフトウェアで実装した場合、機能は、１つまたは複数の命令またはコードとしてコンピュータ可読媒体に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の物理媒体とすることができる。限定ではなく例として、そのようなコンピュータ記憶媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、スマートカード、およびフラッシュメモリデバイス（たとえば、カード、スティック、キードライブ．．．）、あるいは命令またはデータ構造の形態の所望のプログラムコードを搬送または記憶するために使用され得、コンピュータによってアクセスされ得る、任意の他の媒体を備えることができる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１０７】
ハードウェア実装の場合、本明細書で開示する態様に関して説明する処理ユニットの様々な例示的な論理、論理ブロック、モジュール、および回路は、１つまたは複数のＡＳＩＣ、ＤＳＰ、ＤＳＰＤ、ＰＬＤ、ＦＰＧＡ、個別ゲートまたはトランジスタ論理、個別ハードウェア構成要素、汎用プロセッサ、コントローラ、マイクロコントローラ、マイクロプロセッサ、本明細書で説明する機能を実行するように設計された他の電子ユニット、あるいはそれらの組合せの中で実装または実行され得る。汎用プロセッサはマイクロプロセッサとすることができるが、代替として、プロセッサは、任意の従来のプロセッサ、コントローラ、マイクロコントローラ、または状態機械とすることができる。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他の好適な構成として実装され得る。さらに、少なくとも１つのプロセッサは、本明細書で説明するステップおよび／またはアクションの１つまたは複数を実行するように動作可能な１つまたは複数のモジュールを備えることができる。
【０１０８】
さらに、本明細書で説明する様々な態様または特徴は、標準のプログラミングおよび／またはエンジニアリング技法を使用した方法、装置、または製造品として実装され得る。さらに、本明細書で開示する態様に関して説明する方法またはアルゴリズムのステップおよび／またはアクションは、直接ハードウェアで実施されるか、プロセッサによって実行されるソフトウェアモジュールで実施されるか、またはその２つの組合せで実施され得る。さらに、いくつかの態様では、方法またはアルゴリズムのステップまたはアクションは、コンピュータプログラム製品に組み込むことができる、機械可読媒体またはコンピュータ可読媒体上のコードまたは命令の少なくとも１つまたは任意の組合せ、あるいはそのセットとして常駐することができる。
【０１０９】
さらに、「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。本出願で使用する「または」という用語は、排他的な「または」ではなく、包括的な「または」を意味するものとする。すなわち、別段の規定がない限り、または文脈から明白でない限り、「ＸはＡまたはＢを使用する」は、自然な包括的置換のいずれかを意味するものとする。すなわち、ＸがＡを使用するか、ＸがＢを使用するか、またはＸがＡとＢの両方を使用する場合、「ＸはＡまたはＢを使用する」は上記の例のいずれの下でも満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【０１１０】
さらに、本明細書で使用する「推論する」または「推論」という用語は、概して、事象またはデータを介して捕捉される観測のセットから、システム、環境、またはユーザの状態を推理または推論するプロセスを指す。推論は、特定のコンテキストまたはアクションを識別するために使用され得、あるいは、たとえば、状態の確率分布を生成することができる。推論は、確率的、すなわち、データおよび事象の考察に基づく当該の状態の確率分布の計算とすることができる。推論は、事象またはデータのセットからより高いレベルの事象を構成するために採用される技法を指すこともある。そのような推論から、事象が時間的に緊切して相関するか否かにかかわらず、および事象およびデータが１つまたは複数の事象およびデータの発生源に由来するかどうかにかかわらず、観測された事象および／または記憶された事象データのセットから新しい事象または動作が構成される。
【０１１１】
以上の説明は、請求する主題の態様の例を含む。もちろん、請求する主題について説明する目的で構成要素または方法のあらゆる考えられる組合せについて説明することは不可能であるが、開示した主題の多数のさらなる組合せおよび置換が可能であることを、当業者なら認識できよう。したがって、開示した主題は、添付の特許請求の範囲の趣旨および範囲内に入るすべてのそのような改変形態、変更形態および変形形態を包含するものとする。さらに、「含む（include）」、「有する（has）」、「有する（having）」という用語は、そのような用語が、発明を実施するための形態または特許請求の範囲のいずれかで使用される限り、「備える（comprising）」という用語は使用すると請求項における移行語と解釈されるので、「備える（comprising）」と同様に包括的なものとする。
【図１】
2013502857.tif 000003
【図２】
2013502857.tif 000004
【図３】
2013502857.tif 000005
【図４】
2013502857.tif 000006
【図５】
2013502857.tif 000007
【図６】
2013502857.tif 000008
【図７】
2013502857.tif 000009
【図８】
2013502857.tif 000010
【図９】
2013502857.tif 000011
【図１０】
2013502857.tif 000012
【図１１】
2013502857.tif 000013
【図１２】
2013502857.tif 000014
【図１３】
2013502857.tif 000015
【図１４】
2013502857.tif 000016
【図１５】
2013502857.tif 000017
【図１６】
2013502857.tif 000018
【図１７】
2013502857.tif 000019
【国際調査報告】
2013502857.tif 000020
2013502857.tif 000021